(57)【要約】【課題】端末負荷を抑えつつ、詳細な位置情報を伴う測定情報を効率的に測定して、ネットワークへ報告することができる無線端末および通信制御方法を提供する。【解決手段】無線局と通信可能な無線端末（１０）であって、無線局に測定指示を要求し（測定指示要求Ｓ１）、無線局から受信した測定指示（Ｓ２）に従って測定を実行し（Ｓ３）、測定結果と当該無線端末（１０）の位置に関係する情報とを無線局へ報告する（測定報告Ｓ４）。【選択図】図３
2014514786.tif 000002
【特許請求の範囲】
【請求項１】
無線局と通信可能な無線端末であって、
無線局へ測定指示を要求する信号を送信する測定指示要求手段と、
前記無線局から受信した前記測定指示に従って測定を実行する測定手段と、
測定結果と当該無線端末の位置に関係する情報とを報告する信号を前記無線局へ送信する報告手段と、
を有することを特徴とする無線端末。
【請求項２】
前記測定指示要求手段は、端末におけるトリガ発生に応じて前記測定指示を要求する信号を送信することを特徴とする請求項１に記載の無線端末。
【請求項３】
前記端末におけるトリガは、当該無線端末の利用者による測定指示要求操作または当該無線端末内部のＲＲＣ(Radio Resource Control)レイヤあるいはその上位レイヤから発生することを特徴とする請求項２に記載の無線端末。
【請求項４】
前記測定指示要求手段は、前記無線局から受信する下り信号の受信品質、前記位置に関係する情報、周辺セルに関係する情報、セル選択に関係する情報、通信状況に関係する情報のうち少なくとも一つに基づいて前記端末におけるトリガ発生を検出することを特徴とする請求項３に記載の無線端末。
【請求項５】
前記測定指示要求手段は、前記受信品質が所定値より劣化した時、当該受信品質劣化が所定時間以上持続した時、あるいは前記受信品質が前記所定値より改善した時に前記端末におけるトリガ発生を検出することを特徴とする請求項４に記載の無線端末。
【請求項６】
前記測定指示要求手段は、前記位置に関係する情報が所定エリアを示している時、前記位置に関係する情報が取得できた時、前記位置に関係する情報の精度が所定値以上である時、の少なくともいずれかの時に前記端末におけるトリガ発生を検出することを特徴とする請求項４に記載の無線端末。
【請求項７】
前記位置に関係する情報は、ＧＮＳＳ(Global Navigation Satellite System)または前記無線局を含む無線通信ネットワークによる位置情報サービスＬＣＳ(Location Service)を用いて取得した位置情報を含むことを特徴とする請求項６に記載の無線端末。
【請求項８】
前記端末におけるトリガの発生条件が前記無線局から通知されることを特徴とする請求項２に記載の無線端末。
【請求項９】
前記測定指示を要求する前に、前記位置に関係する情報を取得することを特徴とする請求項１に記載の無線端末。
【請求項１０】
前記測定指示要求手段が前記測定指示を要求する場合、前記無線端末がアイドル状態(RRC_Idle)からアクティブ状態(RRC_Connected)へと遷移し、前記無線局との接続確立要求メッセージまたは接続確立完了メッセージを用いて前記測定指示要求を送信することを特徴とする請求項１に記載の無線端末。
【請求項１１】
無線局と通信可能な無線端末における通信制御方法であって、
測定指示要求手段が無線局へ測定指示を要求する信号を送信し、
測定手段が前記無線局から受信した前記測定指示に従って測定を実行し、
報告手段が測定結果と当該無線端末の位置に関係する情報とを報告する信号を前記無線局へ送信する、
ことを特徴とする通信制御方法。
【請求項１２】
前記測定指示要求手段が端末におけるトリガ発生に応じて前記測定指示を要求する信号を送信することを特徴とする請求項１１に記載の通信制御方法。
【請求項１３】
前記端末におけるトリガは当該無線端末の利用者による測定指示要求操作または当該無線端末内部のＲＲＣ(Radio Resource Control)レイヤあるいはその上位レイヤから発生することを特徴とする請求項１２に記載の通信制御方法。
【請求項１４】
前記測定指示要求手段は、前記無線局から受信する下り信号の受信品質、前記位置に関係する情報、周辺セルに関係する情報、セル選択に関係する情報、通信状況に関係する情報のうち少なくとも一つに基づいて前記端末におけるトリガ発生を検出することを特徴とする請求項１３に記載の通信制御方法。
【請求項１５】
前記測定指示要求手段が、前記受信品質が所定値より劣化した時、当該受信品質劣化が所定時間以上持続した時、あるいは前記受信品質が前記所定値より改善した時に前記端末におけるトリガ発生を検出することを特徴とする請求項１４に記載の通信制御方法。
【請求項１６】
前記測定指示要求手段が、前記位置に関係する情報が所定エリアを示している時、前記位置に関係する情報が取得できた時、前記位置に関係する情報の精度が所定値以上である時、の少なくともいずれかの時に前記端末におけるトリガ発生を検出することを特徴とする請求項１４に記載の通信制御方法。
【請求項１７】
前記位置に関係する情報はＧＮＳＳ(Global Navigation Satellite System)または前記無線局を含む無線通信ネットワークによる位置情報サービスＬＣＳ(Location Service)を用いて取得した位置情報を含むことを特徴とする請求項１６に記載の通信制御方法。
【請求項１８】
前記測定指示を要求する前に前記位置に関係する情報を取得することを特徴とする請求項１１に記載の通信制御方法。
【請求項１９】
前記端末におけるトリガの発生条件が前記無線局から通知されることを特徴とする請求項１２に記載の通信制御方法。
【請求項２０】
前記測定指示要求手段が前記測定指示を要求する場合、前記無線端末がアイドル状態(RRC_Idle)からアクティブ状態(RRC_Connected)へと遷移し、前記無線局との接続確立要求メッセージまたは接続確立完了メッセージを用いて前記測定指示要求を送信することを特徴とする請求項１１に記載の通信制御方法。
【請求項２１】
無線局と前記無線局と通信可能な無線端末と、を含む無線通信システムであって、
前記無線端末が前記無線局へ測定指示を要求する信号を送信し、
前記無線端末が前記無線局から受信した前記測定指示に従った測定を実行し、
前記無線端末が測定結果と当該無線端末の位置に関係する情報とを報告する信号を前記無線局へ送信する、
ことを特徴とする無線通信システム。
【請求項２２】
前記無線端末が移動端末であり、前記無線局が無線基地局あるいは基地局制御局であることを特徴とする請求項２１に記載の無線通信システム。
【請求項２３】
無線端末と通信可能な無線局であって、
測定指示を含む信号を前記無線端末へ送信する指示送信手段と、
前記無線端末から受信した測定結果と前記無線端末の位置に関係する情報とを格納する格納手段と、
前記測定結果と前記位置に関係する情報とを無線通信ネットワークの情報収集装置へ送信する情報送信手段と、
を有することを特徴とする無線局。
【請求項２４】
無線局と通信可能な制御装置であって、
無線端末から送信された測定指示要求信号を前記無線局から受信する受信手段と、
前記測定指示要求信号に対して当該無線端末の測定結果が必要か否かを判定する制御手段と、
必要と判定されると、前記無線端末に対して測定指示信号を送信する送信手段と、
を有することを特徴とする制御装置。
【請求項２５】
無線局と通信可能な無線端末におけるプログラム制御プロセッサを機能させるプログラムであって、
測定指示要求手段が無線局へ測定指示を要求する信号を送信し、
測定手段が前記無線局から受信した前記測定指示に従って測定を実行し、
報告手段が測定結果と当該無線端末の位置に関係する情報とを報告する信号を前記無線局へ送信する、
ように前記プログラム制御プロセッサを機能させることを特徴とするプログラム。
【発明の詳細な説明】
【技術分野】
【０００１】
本発明は無線端末による測定情報の取得および報告を制御する無線通信システムに係り、特に無線通信ネットワークからの測定指示に応じて測定情報を報告する機能を有する無線端末、無線局、制御装置および通信制御方法に関する。
【背景技術】
【０００２】
３ＧＰＰ（3rd Generation Partnership Project）では、オペレータによる走行試験(Drive-Test)にかかるオペレーションコスト(OPEX）を削減するため、走行試験で収集していた情報あるいはそれに類似した情報を無線端末に測定・報告させることが検討されている（非特許文献１）。この検討の最終目的は走行試験の実行を最小化することであり、これに関連する技術は総称してＭＤＴ(Minimization of Drive Test)と呼ばれている。ＭＤＴは、３ＧＰＰで規定されるセルラシステムであるＵＭＴＳ(Universal Mobile Telecommunication System)およびＬＴＥ(Long Term Evolution)の両方を適用対象としている。なお、ここで言う「測定」には、ある状況を「検出」する動作も含む。
【０００３】
ＭＤＴでは、無線端末による測定情報の取得・報告方法について、以下の２つの方式が規定されている（非特許文献１）。
【０００４】
１．即時ＭＤＴ(Immediate MDT): 無線端末がアクティブ状態の間に測定情報の取得および報告をさせる方式。
【０００５】
２．ログＭＤＴ(Logged MDT): 無線端末がアイドル状態の測定情報の取得をさせ、取得した測定情報をアクティブ状態の間に報告させる方式。
【０００６】
また、ＭＤＴの検討では、無線通信ネットワーク側で、どの無線端末に測定情報を取得・報告させるかを決定する事、つまり無線通信ネットワーク主導の無線端末による測定情報取得・報告の制御を基本方針とし、非特許文献２では以下２つの方式が規定されている。
【０００７】
Ａ．マネジメントベース方式(Management based approach):まずＭＤＴの測定情報の収集の対象となるエリアを指定し、当該エリアに滞在する無線端末から任意に選択する方式。
【０００８】
Ｂ．シグナリングベース方式(Signaling based approach): 特定の無線端末を当該無線端末の個別識別子ＩＤ(Identity)を基に選択する方式。
【０００９】
次に、図１および図２を参照して、３ＧＰＰで検討されているＬＴＥにおけるシグナリングベース方式の即時ＭＤＴについて簡単に説明する。図１に示すように、ここで想定するＬＴＥのシステムは、無線端末ＵＥ（User Equipment）、無線基地局ｅＮＢ(evolved NodeB)、無線端末の移動管理装置ＭＭＥ(Mobility Management Entity)／ホーム加入者管理サーバＨＳＳ(Home Subscriber Server)、無線通信ネットワーク運用管理装置ＥＭ(Element Manager)、トレース情報収集装置ＴＣＥ(Trace Collection Entity)から構成される。また、無線端末ＵＥの個別識別子ＩＤとしてＩＭＳＩ(International Mobile Subscriber Identity)＝｛ｘｘ．．．１｝、｛ｘｘ．．．２｝、．．．｛ｘｘ．．ｎ｝をもつＵＥ１、ＵＥ２、．．．、ＵＥｎが、ｅＮＢと無線接続(RRC(Radio Resource Control) Connection)を確立している、つまりアクティブ状態（ＬＴＥではRRC_Connected状態と呼ぶ）であるとする（図２では、ＵＥ１とＵＥｎのみ記載）。
【００１０】
図２において、シグナリングベース方式の即時ＭＤＴは、以下のステップにより実行される。
【００１１】
ステップＳ１００１：ＥＭはシグナリングベース方式のＭＤＴを実行する為に必要な情報として、ＭＤＴの無線端末測定の設定情報（MDT measurement configuration）、測定情報を取得・報告させるＵＥのＩＤ(ＩＭＳＩ又はＩＭＥＩ（ＳＶ）：International Mobile station Equipment Identity (Software Version))、ＭＤＴの対象位置情報(Area info)等を含んだトレースセッション開始(Trace Session Activation)メッセージをＨＳＳに通知する。
【００１２】
ステップＳ１００２：ＨＳＳは、対象となるＵＥが滞在するエリア（例えばトラッキングエリアＴＡ(Tracking Area)を管理するＭＭＥへトレースセッション実行メッセージを転送する。ただし、図２ではＥＭからＨＳＳ、ＨＳＳからＭＭＥへのメッセージを省略し、ＥＭからＭＭＥ／ＨＳＳへのメッセージとして記載している。ＭＭＥは、ＥＭから通知されたＵＥのＩＤ（ＩＭＳＩ／ＩＭＥＩ（ＳＶ））を基に、実際にＭＤＴの測定情報の取得・報告を行わせるＵＥを選択する。図２では、ＥＭからＩＭＳＩ＝｛ｘｘ．．．１｝が通知されている為、ＭＭＥはＵＥ１を選択する。
【００１３】
ステップＳ１００３：ＭＭＥは、ＵＥ１が接続しているｅＮＢに当該ＵＥ１に対するＴｒａｃｅ機能の実行通知であるトレース開始メッセージおよびＭＤＴの無線端末測定の設定情報であるＭＤＴ測定設定(MDT measurement configuration)メッセージを通知する。
【００１４】
ステップＳ１００４：ｅＮＢは通知されたトレース(Trace)制御情報と設定パラメータを保存する。
【００１５】
ステップＳ１００５：続いて、ｅＮＢはトレース機能を開始する。
【００１６】
ステップＳ１００６：続いて、ｅＮＢは、ＵＥ１に対してＭＤＴの測定情報の取得・報告を指示する測定設定(measurement configuration)メッセージを送信する。
【００１７】
ステップＳ１００７：ＵＥ１は当該指示に従って測定を実行して測定情報を取得し、取得した当該測定情報を所定タイミングでステップＳ１００６の送信元であるｅＮＢへ報告する。
【００１８】
ステップＳ１００８：ｅＮＢは、ＵＥ１から報告された測定情報をトレース用のメモリ(Trace Records)に保存する。
【００１９】
ステップＳ１００９：ｅＮＢは保存しているTrace Recordsを所定タイミング（例えば周期的報告）でＴＣＥへと報告する。
【００２０】
ここで、無線端末ＵＥが取得する測定情報としては、当該無線端末が滞在しているセルおよび隣接セルのセルＩＤ(PCI: Physical Cell IdentityやECGI (E-UTRAN Cell Global Identity)と、各セルが送信する既知の下り信号であるリファレンス信号ＲＳ(Reference Signal)の受信品質ＲＳＲＰ／ＲＳＲＱ(RS Received Power/Quality)とが含まれる。セルＩＤと受信品質からなる情報は、ＲＦフィンガプリント(RF Fingerprint)と呼ばれることもある。なお、ログＭＤＴの場合には、測定情報の結果をログとして保存する際に、時刻情報（ログＭＤＴのconfigurationを受信した際に通知された絶対時刻からの相対時刻）も保存する。
【００２１】
さらに、無線端末が測定情報の取得中に、ＭＤＴとは関係なく詳細な位置情報を取得していた場合には、当該詳細な位置情報も一緒に保存し、無線基地局に報告する。詳細な位置情報(detailed location information)としては、例えば、ＧＰＳ(Global Positioning Service)に代表されるＧＮＳＳ(Global Navigation Satellite System)で取得した位置情報や、無線通信ネットワークによる位置情報サービスＬＣＳ(Location Service)で取得した位置情報などがある。
【００２２】
以上のようなＭＤＴの端末測定を利用することで、マニュアル走行試験を実行することなく(或は、走行試験の実行を減らして)、無線通信ネットワーク側で対象エリアの受信品質を示すカバレッジマッピングを行うことができる。特に、詳細な位置情報を伴った報告が多ければ、より正確にカバレッジマッピングを行うことができる。さらに、カバレッジマッピングを基にして、ＳＯＮ(Self-Organizing Network)で検討されているようなカバレッジの自己最適化の実現も期待できる。
【先行技術文献】
【非特許文献】
【００２３】
【非特許文献１】3GPP TS37.320v10.0.0 (<URL> http:www.3gpp.org/ftp/Specs/html-info/37320.htm)
【非特許文献２】3GPP TS32.422v10.2.0 (<URL> http:www.3gpp.org/ftp/Specs/html-info/32422.htm)
【非特許文献３】3GPP TS36.331v10.0.0 (<URL> http:www.3gpp.org/ftp/Specs/html-info/36331.htm)
【発明の概要】
【発明が解決しようとする課題】
【００２４】
上述したように、３ＧＰＰで検討されているＭＤＴでは、ＧＰＳ等による詳細な位置情報は、ＭＤＴとは無関係に、すなわち端末保有者（ユーザ）が偶発的にＧＰＳを起動していた場合のみ、無線通信ネットワーク側で収集することができる。そこでより効率的にＧＰＳ位置情報を伴う測定情報を収集する為に、ログＭＤＴを用いて無線端末に所定期間ＭＤＴの測定情報を継続して取得させることが考えられる。一方で、過剰な端末負荷を避ける為、以下のような規定がされている。
【００２５】
・測定情報の取得（ログ）期間(logging duration)：（１０min〜１２０min（２ｈ））
・測定情報の取得（ログ）周期(logging interval)：１２８０ms（１．２８ｓ）〜６１４４０ms（６１．４４ｓ）
上記ログ期間が終了した直後に、再び同じ無線端末にＭＤＴの測定情報の取得をさせることも可能であるが、当該ログ期間を規定した背景に反し端末負荷が過剰になる恐れがある。また、ログ期間を延長したとしても、ＧＰＳ位置情報を伴う測定情報を収集できる（つまりユーザがＧＰＳを起動する）という保証はない。ＧＰＳ位置情報を伴う測定情報を収集する為に走行試験を併用することも考えられるが、それではＭＤＴを導入する本来の目的や利点に反してしまう。
【００２６】
さらに、屋内や屋外の限られたユーザが立ち入ることができる限定エリアでは、走行試験自体を行うことができない。従って、上記ＭＤＴの技術のみでは、ＧＰＳ位置情報を伴うＭＤＴの測定情報を、特に限定エリアから、効率的に収集することができず、限定エリアのような細部まで考慮したカバレッジマッピングの作成および当該カバレッジマッピングを基にしたカバレッジ最適化が困難である。
【００２７】
そこで、ＧＰＳなどの詳細な位置情報を効率的に取得する為の方法として、ＭＤＴの測定情報を取得させる無線端末に、強制的にＧＰＳを起動させる方法が考えられる。しかし、いつ・どの無線端末にＧＰＳを起動させれば受信品質に問題のあるエリアからＧＰＳ位置情報を伴うＭＤＴの測定情報が収集できるかは不明であり、無作為に選択した多くの無線端末に収集させてしまうと端末負荷が過剰になる事が予想される。
【００２８】
そこで本発明の目的は、端末負荷を抑えつつ効率的に詳細な位置情報を伴う測定情報を測定して無線通信ネットワークへ報告することができる無線端末、無線局、制御装置および通信制御方法を提供することにある。
【課題を解決するための手段】
【００２９】
本発明による無線端末は、無線局と通信可能な無線端末であって、無線局へ測定指示を要求する信号を送信する測定指示要求手段と、前記無線局から受信した前記測定指示に従って測定を実行する測定手段と、測定結果と当該無線端末の位置に関係する情報とを報告する信号を前記無線局へ送信する報告手段と、を有することを特徴とする。
【００３０】
本発明による無線端末における通信制御方法は、無線局と通信可能な無線端末における通信制御方法であって、測定指示要求手段が無線局へ測定指示を要求する信号を送信し、測定手段が前記無線局から受信した前記測定指示に従って測定を実行し、報告手段が測定結果と当該無線端末の位置に関係する情報とを報告する信号を前記無線局へ送信する、ことを特徴とする。
【００３１】
本発明による無線通信システムは、無線局と前記無線局と通信可能な無線端末と、を含む無線通信システムであって、前記無線端末が前記無線局へ測定指示を要求する信号を送信し、前記無線端末が前記無線局から受信した前記測定指示に従った測定を実行し、前記無線端末が測定結果と当該無線端末の位置に関係する情報とを報告する信号を前記無線局へ送信する、ことを特徴とする。
【００３２】
本発明による無線局は、無線端末と通信可能な無線局であって、測定指示を含む信号を前記無線端末へ送信する指示送信手段と、前記無線端末から受信した測定結果と前記無線端末の位置に関係する情報とを格納する格納手段と、前記測定結果と前記位置に関係する情報とを無線通信ネットワークの情報収集装置へ送信する情報送信手段と、を有することを特徴とする。
【００３３】
本発明による制御装置は、無線局と通信可能な制御装置であって、無線端末から送信された測定指示要求信号を前記無線局から受信する受信手段と、前記測定指示要求信号に対して当該無線端末の測定結果が必要か否かを判定する制御手段と、必要と判定されると、前記無線端末に対して測定指示信号を送信する送信手段と、を有することを特徴とする。
【発明の効果】
【００３４】
本発明によれば、端末負荷を抑えつつ、ＧＰＳなどの詳細な位置情報を伴う測定情報を効率的な収集を実現できる。これにより、走行試験や既存のＭＤＴでは不可能または難しかった限られた無線端末のみが在在するような限定エリアの受信品質まで考慮したカバレッジマッピングを実現できる。
【図面の簡単な説明】
【００３５】
【図１】図１はＬＴＥ無線通信システムの概略的構成図である。
【図２】図２は３ＧＰＰにより検討されているＬＴＥにおけるシグナリングベース方式即時ＭＤＴのシーケンス図である。
【図３】図３は本発明の基本的動作説明のためのシーケンス図である。
【図４】図４は本発明の第１実施形態による無線通信方法を示すシーケンス図である。
【図５】図５は第１実施形態による無線端末の機能的構成を示すブロック図である。
【図６】図６は図４に示す無線端末の通信制御動作を示すフローチャートである。
【図７】図７は第１実施形態による無線通信システムにおける無線基地局の機能的構成を示すブロック図である。
【図８】図８（Ａ）は第１実施形態による無線通信システムにおけるＭＭＥ／ＨＳＳの機能的構成を示すブロック図、図８（Ｂ）は無線通信ネットワーク運用管理装置ＥＭの機能的構成を示すブロック図である。
【図９】図９は第１実施形態による無線通信システムにおけるＴＣＥの機能的構成を示すブロック図である。
【図１０】図１０は本発明の第１実施例による無線通信方法のシーケンス図である。
【図１１】図１１は第１実施例による無線通信方法におけるＭＤＴ測定要求の第１トリガ例を示すシーケンス図である。
【図１２】図１２は第１実施例による無線通信方法におけるＭＤＴ測定要求の第２トリガ例を示すシーケンス図である。
【図１３】図１３は第１実施例による無線通信方法におけるＭＤＴ測定要求の第３トリガ例を示すシーケンス図である。
【図１４】図１４は第１実施例による無線通信方法におけるＭＤＴ測定要求の第４トリガ例を示すシーケンス図である。
【図１５】図１５は第１実施例による無線通信方法におけるＭＤＴ測定要求の第５トリガ例を示すシーケンス図である。
【図１６】図１６は第１実施例による無線通信方法におけるＭＤＴ測定要求の第６トリガ例を示すシーケンス図である。
【図１７】図１７は第１実施例による無線通信方法におけるＭＤＴ測定要求の第７トリガ例を示すシーケンス図である。
【図１８】図１８は本発明の第２実施例による無線通信方法のシーケンス図である。
【図１９】図１９は本発明の第３実施例による無線通信方法のシーケンス図である。
【図２０】図２０は本発明の第４実施例による無線通信方法のシーケンス図である。
【図２１】図２１は本発明の第２実施形態による無線通信方法を示すシーケンス図である。
【図２２】図２２は本発明の第５実施例による無線通信方法のシーケンス図である。
【発明を実施するための形態】
【００３６】
１．本発明の概要説明
図３において、本発明による無線端末１０は、無線通信ネットワーク側から測定指示があると、測定を実行し、その測定結果を端末位置情報と共に無線通信ネットワーク側へ報告する機能を有するが、この一連の測定動作の開始を無線端末１０の主導により要求することができる。無線端末１０が測定指示要求を無線通信ネットワーク側へ送信すると（ステップＳ１）、無線通信ネットワーク側は当該測定指示要求を受けて測定の有効性あるいは必要性を判断し、有効あるいは必要であれば当該測定実行指示を応答する（ステップＳ２）。無線通信ネットワーク側から測定指示を受けると、無線端末１０は指示された測定を実行し（ステップＳ３）、その測定された情報を無線通信ネットワーク側へ報告する（ステップＳ４）。
【００３７】
このように無線端末側からの要求により必要な測定情報の収集を開始することができるので、無線端末に過剰な負荷をかけることなく、無線端末から詳細な位置情報と共に必要な測定情報を収集することが可能となる。たとえば受信品質に問題のあるエリア（あるいはその周辺エリア）からＧＰＳ位置情報を伴う測定情報を端末に過剰な負荷をかけることなく収集することができる。
【００３８】
なお、本発明における「測定指示」という文言は、単に測定自体の指示だけではなく、それに続く一連の動作あるいは関連する動作をも含めた指示を意味する。具体的には、「測定指示」を単に「測定の指示」という意味ではなく、「測定及び測定結果の報告の指示」、「測定、測定結果の記録、及び測定結果のログの報告の指示」、「測定情報の取得及び報告の指示」、「測定情報の報告の指示」、「測定結果の記録及び測定結果のログの報告の指示」などの意味を含む「指示」とし、これを前提として説明する。
【００３９】
より具体的な構成例は以下の通りである。無線端末１０は、無線通信ネットワーク側から指定された測定情報を取得して無線通信ネットワーク側へ報告する機能と、自身の位置に関する情報を取得して無線通信ネットワーク側へ報告する機能と、所定のトリガがかかると測定情報の取得および報告に要する一連の動作の実行を無線通信ネットワーク側へ要求する機能とを有する。ここで「測定情報の取得および報告に要する一連の動作」としては、たとえば３ＧＰＰで検討されている「Minimization of Drive Test（ＭＤＴ）における無線端末による測定情報の取得および測定情報の報告」を例示することができる。但し、本発明はこれに限定はされない。また、ＭＤＴにおける無線端末による測定情報の取得を「ＭＤＴ測定(MDT measurement)」、ＭＤＴ測定およびＭＤＴ測定で取得した測定情報の報告を「ＭＤＴ測定報告(MDT measurement reporting)」、ＭＤＴ測定およびＭＤＴ測定で取得した測定情報の記録（保持）を「ＭＤＴ測定ロギング（MDT measurement logging）」と呼ぶことにする。
【００４０】
ＭＤＴでは、無線端末による測定情報の取得・報告方法として、以下の２つの方式が考えられる。
【００４１】
１．即時ＭＤＴ(Immediate MDT): 無線端末がアクティブ状態の間に測定情報の取得および報告をさせる方式。
【００４２】
２．ログＭＤＴ(Logged MDT): 無線端末がアイドル状態の間にの測定情報を取得させ、取得した測定情報をアクティブ状態の間に報告させる方式。
【００４３】
また、無線通信ネットワーク側で、どの無線端末に測定情報を取得・報告させるかを決定する事、つまり無線通信ネットワーク主導の無線端末による測定情報取得・報告の制御には、以下２つの方式が考えられる。
【００４４】
Ａ．マネジメントベース方式(Management based approach):まずＭＤＴの測定情報の収集の対象となるエリアを指定し、当該エリアに滞在する無線端末から任意に選択する方式。
【００４５】
Ｂ．シグナリングベース方式(Signaling based approach): 特定の無線端末を当該無線端末の個別識別子ＩＤ(Identity)を基に選択する方式。
【００４６】
ここで、無線通信ネットワークとしては、例えば３ＧＰＰのＵＴＲＡＮ(Universal Terrestrial Radio Access Network)やＥ−ＵＴＲＡＮ(Evolved UTRAN)が考えられる。さらに、ＵＴＲＡＮやＥ−ＵＴＲＡＮと、それらの上位無線通信ネットワークであるＣＮ(Core Network)やＥＰＣ(Evolved Packet Core)をまとめて単に無線通信ネットワークと考えることもできる。
【００４７】
上記「位置に関する情報」としては、
・ＧＰＳ(Global Positioning Service)に代表されるＧＮＳＳ(Global Navigation Satellite System)で取得した詳細な位置情報、
・位置情報サービスＬＣＳ(Location Service)で取得した詳細な位置情報、
・無線端末の滞在エリア（例えば、セル）と隣接エリア（セル）の識別子ＩＤ（Identity）と下り信号の受信品質、
などが考えられる。尚、ＬＣＳで取得した詳細な位置情報としては、例えばＯＴＤＯＡ(Observed Time Difference Of Arrival)などが考えられる。
【００４８】
上記所定のトリガ発生の条件としては、
・無線端末の利用者（ユーザ）による無線端末に対する要求実行の指示、
・無線端末内部における上位レイヤ(Application Layer)から下位レイヤ(Radio Resource Control(RRC) Layer）への要求実行の指示、
・下り信号の受信品質に関連する下記第１の条件が満たされた時、
・位置に関する情報の取得に関連する下記第２の条件が満たされた時、
・周辺セルに関する下記第３の条件が満たされた時、
・セル（再）選択に関する下記第４の条件が満たされた時、
・通信状況に関する第５の条件が満たされた時、
などが考えられ、これらのうちいずれかが生じたときを条件とすることができる。ここで、当該トリガ発生に基づく測定指示要求を行う先の無線局がＭＤＴをサポートしている事あるいは本発明で提供する機能をサポートしている事を事前に配下の無線端末に報知あるいは個別通知するようにしても良い。また、ユーザが無線端末に対して指示を与える方法においては、当該報知あるいは個別通知された情報を、当該ユーザの無線端末のディスプレイに表示させるようにしても良い。
【００４９】
上記「第１の条件」としては、
・受信品質が所定品質未満であることを検出した時、
・受信品質が所定品質未満のまま所定期間経過した時、
・受信品質が所定品質未満のまま所定エリアに所定期間滞在している時、
・受信品質が所定品質未満から所定品質以上へと改善した時、
などが考えられ、これらのうちいずれかが生じたときを条件とすることができる。
【００５０】
上記「第２の条件」としては、
・無線端末が詳細な位置情報を正常に取得できた時、
・無線端末が取得した詳細な位置情報の精度が所定値以上である時、
などが考えられ、これらのうちいずれかが生じたときを条件とすることができる。
【００５１】
ここで、詳細な位置情報を正常に取得できたか否かは、実際に当該詳細な位置情報の取得に成功したか否か、或は、無線端末の保有者（ユーザ）が取得した当該詳細な位置情報が妥当だと判定できるか否か、で判定する方法などが考えられる。一方、詳細な位置情報の精度としては、アプリケーションで示された値（誤差情報や不確かさなど）を用いて算出した値でも良いし、詳細な位置情報の取得に用いる電波の受信強度（例えばＧＰＳ信号の受信強度）などでも良い。さらに、誤差情報や不確かさとしては、ＧＰＳで緯度・経度・高度などを算出した結果に対する誤差情報などが考えられる。また、第２の条件を用いる場合、当該要求を行う際に、取得した詳細な位置情報、或は、詳細な位置情報とその精度を無線局に通知するようにしても良い。
【００５２】
上記「第３の条件」としては、
・周辺の接続（帰属）できない無線基地局のセルがベストセルである時、
・周辺の接続（帰属）できない無線基地局のセルがベストセルであるまま所定期間経過した時、
・周辺の接続（帰属）できない無線基地局のセルの受信品質がサービングセルの受信品質より所定品質差以上良い時、
・周辺の接続（帰属）できない無線基地局のセルの受信品質がサービングセルの受信品質より所定品質差以上良いまま所定期間経過した時、
などが考えられ、これらのうちいずれかが生じたときを条件とすることができる。尚、接続（帰属）できないセルとは、限られた無線端末のみが接続（帰属）可能な無線基地局（Closed Subscriber Group(CSG)基地局）のセル（CSGセル）などが考えられる。ここでは、接続（帰属）できない場合を想定しているので、当該無線端末が当該CSGセルのメンバーでない（non member）場合に相当する。CSG無線基地局の代表が、フェムト基地局（Femto BTSやFemto ＮＢ/eNBなどと呼ばれる）やホーム基地局（Home NB/eNBやHNB/HeNBなどと呼ばれる）である。また、ベストセルの判定は、通常のセル（再）選択や、ハンドオーバ（Handover: HO）の為の測定報告において、最上位（最高優先度）の候補とされるセルであるか否かで行うことができるが、これに限定はされない。
【００５３】
上記「第４の条件」としては、
・接続（帰属）できる無線基地局のセルを検出できない状況から脱して接続（帰属）できるセルを検出できた時、
・接続（帰属）できない無線基地局にアクセスを試みて失敗した（拒絶された）後、接続(帰属)できる無線基地局に接続（帰属）した時、
・異種無線アクセス技術（Radio Access Technology: RAT）間でのセル再選択（Inter-RAT cell reselection）を行う（行った）時、
・異種無線アクセス技術（Radio Access Technology: RAT）間でハンドオーバ（Inter-RAT handover）を行う（行った）時、
・異なるエリア間でのセル再選択(Inter Area cell reselection)を行う（行った）時、
・異なるエリア間でのハンドオーバ(Inter Area handover)を行う（行った）時、
・属性の異なるセル間でのセル再選択を行う（行った）時、
・属性の異なるセル間でのハンドオーバを行う（行った）時、
などが考えられ、これらのうちいずれかが生じたときを条件とすることができる。
【００５４】
尚、接続（帰属）できないセルとしては、上述のCSGセルが考えられる。また、接続（帰属）できるセルを検出できない状況としては、無線端末が、３ＧＰＰで定義されている “Camped Normally" State から、"Any Cell Selection" State や "Camped on any cell" State の状態でいる状況などが考えられる。また、接続（帰属）できる無線基地局のセルを、適切なセル（suitable cell）や条件に合ったセル（acceptable cell）とも呼ぶ。
【００５５】
無線基地局へのアクセスには、ランダムアクセス（Random Access）を用いることが考えられ、アクセスに失敗する事をランダムアクセス失敗（Random Access Failure）とも呼ぶ。
【００５６】
無線アクセス技術（RAT）とは、UMTS(WCDMA)、CDMA2000（系）やLTEなどを指す。エリアとは、トラッキングエリア（Tracking Area: TA）、ロケーションエリア（Location Area: LA）、ルーティングエリア（Routing Area: RA）、公衆陸上移動網（Public Land Mobile Network: PLMN）などが考えられる。
【００５７】
さらに、セルの属性とは、一般的なノーマルセル、CSGセル、ノーマルセルとCSGセルとのハイブリッドセル（Hybrid Cell）、などが考えられる。CSGセルは、更に当該無線端末にとってmember CSGセルかnon member CSGセルかも属性として考えることもできる。
【００５８】
さらに、より具体的には、異種無線アクセス技術（RAT）間でのセル再選択或はハンドオーバを条件とする場合、例えば、i) 無線端末があるＲＡＴ（ＲＡＴ−Ａ）のセルから、別のＲＡＴ（ＲＡＴ−Ｂ）のセルへセル再選択或はハンドオーバを行う（行った）時、又は、ii) 無線端末があるＲＡＴ（ＲＡＴ−Ａ）のセルから一旦別のＲＡＴ（ＲＡＴ−Ｂ）のセルへセル再選択或はハンドオーバを行った後に再び元のＲＡＴ（ＲＡＴ−Ａ）のセルへセル再選択或はハンドオーバを行う（行った）時、などが考えられる。これによって、無線通信ネットワーク側で異種ＲＡＴ間セル再選択やハンドオーバが生じる場所、および当該場所（と周辺）の受信品質などを効率的に収集することができる。尚、前者i) の場合には少なくともＲＡＴ−Ｂのセルの無線基地局が、後者ii)の場合には少なくともＲＡＴ−Ａのセルの無線基地局が、無線端末によるＭＤＴ測定指示要求の受信およびそれに応じた制御をサポートしていることを前提とする。
【００５９】
同様に、異なるエリア間でのセル再選択或はハンドオーバを条件とする場合、例えば、iii) 無線端末があるエリア（例えばＰＬＭＮ―Ａ）のセルから別のエリア（ＰＬＭＮ−Ｂ）のセルへセル再選択或はハンドオーバを行う（行った）時、又は、iv) 無線端末があるエリア（例えばＰＬＭＮ−Ａ）のセルから一旦別のエリア（ＰＬＭＮ−Ｂ）のセルへセル再選択或はハンドオーバを行った後に再びもとのエリア（ＰＬＭＮ−Ａ）のセルへセル再選択或はハンドオーバを行う(行った)時、などが考えられる。これにより、無線通信ネットワーク側で異なるエリア間のセル再選択やハンドオーバが生じる場所、および当該場所（と周辺）の受信品質などを効率的に収集することができる。尚、前者iii) の場合には少なくともＰＬＭＮ−Ｂのセルの無線基地局が、後者iv) の場合には少なくともＰＬＭＮ−Ａのセルの無線基地局が、無線端末によるＭＤＴ測定指示要求の受信およびそれに応じた制御をサポートしていることを前提とする。
【００６０】
一方、属性の異なるセル間でのセル再選択或はハンドオーバを条件とする場合、例えば、無線端末がある属性のセル（例えばノーマルセル）から別の属性のセル（当該無線端末がｍｅｍｂｅｒであるＣＳＧセル）へのセル再選択或はハンドオーバを行う（行った）時、又は、ある属性のセル（例えばノーマルセル）から別の属性のセル（当該無線端末がｍｅｍｂｅｒであるＣＳＧセル）へセル再選択或はハンドオーバを行った後に再び元の属性のセル（ノーマルセル）へセル再選択或はハンドオーバを行う（行った）時、などが考えられる。これにより、無線通信ネットワーク側で異なる属性のセル間のセル再選択やハンドオーバが生じる場所、および当該場所（と周辺）の受信品質などを効率的に収集することができる。尚、少なくともノーマルセルの無線基地局が無線端末によるＭＤＴ測定指示要求の受信およびそれに応じた制御をサポートしていることを前提とする。
【００６１】
上記「第５の条件」としては、
・無線リンク障害（Radio Link Failure: RLF）が生じた後に無線基地局との再接続を行う（行った）時、
・ハンドオーバ失敗(Handover Failure: HOF)が生じた後に無線基地局との再接続を行う（行った）時、
・共通制御情報の受信に所定回数連続して失敗した時、
・共通制御情報の受信に所定回数連続して失敗した後に無線基地局との接続を行う（行った）時、
・ページング情報を受信する為の制御情報の受信に所定回数連続して失敗した時、
・ページング情報を受信する為の制御情報の受信に所定回数連続して失敗した後に無線基地局との接続を行う（行った）時、
・無線基地局へのアクセスプロシージャが失敗に終わった後で再び試みたアクセスプロシージャが成功した時、
・所定サービス品質（Quality of Service: QoS）を満たさない時、
などが考えられ、これらのうちいずれかが生じたときを条件とすることができる。尚、ハンドオーバ失敗は、同一無線アクセス技術(RAT)間でのハンドオーバ失敗だけでなく、異種無線アクセス技術間でのハンドオーバ失敗も対象と考えられる。また、共通制御情報は、報知制御チャネル（Broadcast Control Channel: BCCH）でセル内の全端末に報知されるシステム情報などが考えられる。一方、QoSとしては、データ送受信の誤り率、スループット、伝送遅延、などが考えられる。
【００６２】
さらに、より具体的には、無線リンク障害（RLF）が生じた後の無線基地局との再接続を条件とする場合、例えば、無線端末があるセル（セルＡ）に滞在中に無線リンク障害（RLF）を検出した後でセルＡの無線基地局１に再接続を行う（行った）時、又は、セルＡとは別のセルＢで無線基地局１に再接続を行う（行った）時、さらに又は、セルＡとは別のセルＣで無線基地局２に再接続を行う（行った）時、などが考えられる。これにより、無線通信ネットワーク側で、無線リンク障害（RLF）が生じた（生じやすい）場所、および当該場所（と周辺）の受信品質などを効率的に収集することができる。尚、少なくとも再接続を行う（行った）先の無線基地局は本発明の無線端末によるＭＤＴ測定指示要求の受信およびそれに応じた制御をサポートしていることを前提とする。また、セルＡ、Ｂ、Ｃは同じ無線アクセス技術（RAT）でも良いし、異なっても良い。
【００６３】
同様に、ハンドオーバ失敗（HOF）が生じた後の無線基地局との再接続を条件とする場合、例えば、無線端末があるセル（セルＡ）から別のセル（セルＢ）にハンドオーバを行っている途中（ハンドオーバプロシージャ中）にセルを検出できなくなった（セル／無線基地局との同期がとれなくなった）、ランダムアクセスに失敗した（Random Access failure）などの理由によりハンドオーバに失敗した後でセルＡ又はセルＢ又はそれ以外のセルの無線基地局と再接続を行う（行った）時、などが考えられる。これにより、無線通信ネットワーク側で、ハンドオーバ失敗が生じた（生じやすい）場所、および当該場所（と周辺）の受信品質などを効率的に収集することができる。尚、少なくとも再接続を行う（行った）先の無線基地局は本発明の無線端末によるＭＤＴ測定指示要求の受信およびそれに応じた制御をサポートしていることを前提とする。
【００６４】
また、ハンドオーバ失敗の例としては、３ＧＰＰ  ＬＴＥで規定されている"Too Late Handover", "Too Early Handover"、"Handover to Wrong Cell" などが想定される。さらに、ある特定のセル間のハンドオーバを必要以上に頻繁に行う"Ping-Pong Handover" も広義の意味でハンドオーバ失敗と見て本発明を適用することもできる。例えば、ある特定のセル間を所定期間内に所定回数繰り返した場合を条件とする、などが考えられる。
【００６５】
さらに、本発明では、これら所定のトリガのうち複数を組み合わせて用いる事も可能である。
【００６６】
上記第１から第５の条件に関する情報は、それぞれ予め無線端末に設定されていても（保有していても）良いし、無線局が配下の無線端末に報知あるいは個別通知しても良い。ここで、第１の条件に関する情報としては、判定基準となる「所定品質」の指標や値、「所定期間」の値、第１の条件の詳細すべて、などが考えられる。第２の条件に関する情報としては、詳細な位置情報を正常に取得できたか否かの判定基準、詳細な位置情報の精度の判定基準となる「所定値」の指標や値、第２の条件の詳細すべて、などが考えられる。第３の条件に関する情報としては、判定基準となる「所定品質」の指標や値、「所定期間」の値、第３の条件の詳細すべて、などが考えられる。第４の条件に関する情報としては、対象となる無線アクセス技術（RAT）、エリア、属性、或は第４の条件の詳細すべて、などが考えられる。第５の条件に関する情報としては、判定基準となる「所定回数」の値、「QoS」の指標や値、第５の条件の詳細すべて、などが考えられる。
【００６７】
さらに、所定のトリガによる（トリガがかかった事をきっかけにした）測定情報の取得に要する一連の動作実行（例えばＭＤＴ測定）の要求を行う機能を有効にする指示を、無線局が配下の無線端末に報知あるいは個別通知しても良い。
【００６８】
本発明の好ましい別の態様は次の通りである。無線端末１０は、無線局２０が指定する測定情報を取得して無線局２０へ報告する機能と、自身の位置に関する情報を取得して無線局２０へ報告する機能と、所定のトリガがかかると測定情報の取得に要する一連の動作実行の要求を無線局２０に行う機能とを有する。無線局２０は、当該要求を受信した場合に、通信状況等の監視およびパラメータ設定等の運用を行うことでネットワーク全体を管理する制御装置である無線通信ネットワーク運用管理装置へ当該要求を受信したことの通知を行う機能を有する。無線通信ネットワーク運用管理装置は、当該通知を受信した場合に当該無線端末１０に対して一連の動作を実行させる制御を開始する機能を有する。尚、無線局２０と無線通信ネットワーク運用管理装置との間に、別の上位局が存在する構成をとる事も考えられる。この場合、無線局２０からの当該通知を上位局が受信し、上位局が当該通知そのもの或は当該通知に基づく制御情報を無線通信ネットワーク運用管理装置へ転送する。
【００６９】
次に、本発明の実施形態について３ＧＰＰ（3rd Generation Partnership Project）の無線通信システムを例示して詳細に説明する。その際、無線通信システム（セルラシステム）として、３ＧＰＰ  ＬＴＥあるいは３ＧＰＰ  ＵＭＴＳを想定して説明するので、以下に用語の対応を示しておく。ただし、これらは具体的な装置構成は一例であり、本発明の適用対象はこれらに限定はされない。
【００７０】
・「無線局」：ＬＴＥでは「無線基地局ｅＮＢ」、ＵＭＴＳでは「基地局制御局ＲＮＣ(Radio Network Controller)
・「上位局」：ＬＴＥでは「（無線端末の）移動管理装置ＭＭＥ」あるいは「ホーム加入者管理サーバＨＳＳ」、ＵＭＴＳでは「サービングＧＰＲＳサポートノードＳＧＳＮ(Serving GPRS(General Packet Radio Service) Support Node」、「移動（通信）交換局ＭＳＣ(Mobile Switching Centre」あるいは「ＨＳＳ」
・「無線通信ネットワーク運用管理装置」：ＬＴＥ／ＵＭＴＳともにＥＭ(Element Manager)やEMS(Element Management System)
・「情報収集装置」：ＬＴＥ／ＵＭＴＳともにＴＣＥ（Trace Collection Entity）
２．第１実施形態
図４に示すように、ここでは３ＧＰＰ  ＬＴＥの無線通信システムを想定しており、無線端末（ＵＥ）１０、無線基地局（ｅＮＢ）２０、無線端末の移動管理装置／ホーム加入者管理サーバ（ＭＭＥ／ＨＳＳ）３０、無線通信ネットワーク運用管理装置（ＥＭ）４０および図示されていないトレース情報収集装置(TCE: Trace Collection Entity)から構成される。
【００７１】
無線端末１０において所定のトリガがかかった場合（ステップＳ１１：トリガ検出"Trigger detected"）、無線端末１０は無線基地局２０にＭＤＴ測定報告(MDT measurement reporting)の実行指示の要求（測定指示要求）を送信する（ステップＳ１２："UE-initiated MDT request"）。
【００７２】
さらに、本発明では、図４のオプションＡ）に示すように、ＭＤＴ測定指示要求を受けた無線基地局２０）が当該要求をＭＭＥ／ＨＳＳ３０に通知し(ステップＳ１３；測定指示要求通知(MDT request indication))、さらにＭＭＥ／ＨＳＳ３０が無線通信ネットワーク運用管理装置４０に転送する（ステップＳ１４；測定指示要求転送(MDT request transfer)）。また、図４のオプションＢ）に示すように、ＭＤＴ測定の実行の要求を受けた無線基地局２０が、当該要求を直接無線通信ネットワーク運用管理装置４０へ通知することもできる（ステップＳ１５）。これにより、ＭＤＴ測定を制御している上位の無線通信ネットワークノード（ＭＭＥ／ＨＳＳやＥＭ）が無線端末１０によるＭＤＴ測定の実行の要求を認識することができる。当該要求を認識した上位の無線通信ネットワークノード（ＭＭＥ／ＨＳＳやＥＭ）は、必要に応じて当該無線端末１０へＭＤＴ測定実行の指示を行う。これにより、無線端末側でＭＤＴ測定の実行が必要であると判定されるような状況、或は、ＭＤＴ測定の実行が望まれているような状況において、無線通信ネットワーク側で当該状況を認識し、それらに適宜対応することが可能となる。上述のように、図４のオプションA、Bでは端末から送信された測定指示要求が無線基地局により別メッセージを用いてＭＭＥ／ＨＳＳやＥＭへ通知される。本発明はこの形態に限定されるものではない。例えばUMTSにおいて無線端末から基地局制御装置（RNC）に通知するように無線端末からＭＭＥ／ＨＳＳやＥＭへ直接送信開始要求を送る形態でもよい。
【００７３】
以下、図５〜図９を参照しながら、本実施形態による無線通信システムにおける無線端末１０およびその他無線通信ネットワークノードの構成および機能について説明する。
【００７４】
２．１）無線端末（ＵＥ）
図５に示すように、無線端末１０は無線信号受信部１０１および復調部１０２の他に、無線端末１０の全体的な動作制御を行う制御部１０３、無線通信ネットワーク側からの測定設定情報に従った測定や端末の位置測定を実行する測定部１０４、種々の送信信号を生成する信号生成部１０５、および無線信号送信部１０６を有する。無線信号受信部１０１は無線基地局から無線信号を受信し、復調部１０２は受信した無線信号を復調して受信情報を制御部１０３へ出力する。測定部１０４は無線信号受信部１０１による受信信号から受信品質を測定し、またＧＰＳ等により詳細な位置を測定し、それらの測定情報を制御部１０３および信号生成部１０５へ出力する。制御部１０３は、測定部１０４からの測定情報あるいはユーザ指示に基づいて上述した所定トリガ条件を満たしたかどうかの判定を行い、信号生成部１０５へ測定指示要求の送信を指示する。信号生成部１０５により生成された測定指示要求信号は無線信号送信部１０６を通して無線基地局へ送信される。以下、制御部１０３の測定指示要求の制御動作を図６を参照しながら説明する。
【００７５】
図６において、制御部１０３には、図示しない記憶部に測定指示要求のトリガ条件が設定される（ステップＳ１０１）。このトリガ条件は無線端末１０の記憶部に最初から格納されていても良いし、無線基地局２０が配下の無線端末に報知あるいは個別通知することで記憶部に格納されても良い。トリガ条件としては、既に述べたようにユーザからの指示や受信品質の劣化などがあるが、具体例は後述する。
【００７６】
続いて、制御部１０３はトリガ条件が満たされたか否かを判定し（ステップＳ１０２）、トリガ条件が満たされると、制御部１０３は測定指示要求信号の生成を信号生成部１０５へ指示し、信号生成部１０５から無線信号送信部１０６を通して測定指示要求信号が無線基地局２０へ送信される（ステップＳ１０３）。
【００７７】
測定指示要求信号を送信した後、制御部１０３は無線基地局２０から測定設定情報を受信したか否かを判定する（ステップＳ１０４）。測定設定情報を受信すると、制御部１０３はその測定設定情報に従って測定部１０４に測定指示をし、測定部１０４は指定された測定を実行する（ステップＳ１０５）。測定部１０４は測定結果を信号生成部１０５へ出力し、信号生成部１０５から無線信号送信部１０６を通して測定情報が無線基地局２０へ送信される（ステップＳ１０６）。
【００７８】
２．２）無線基地局（ｅＮＢ）
図７に示すように、無線基地局２０は、無線端末１０から無線信号を受信する無線信号受信部２０１と受信した無線信号を復調する復調部２０２とを有し、また上位局（例えば、ＭＭＥやＥＭやＴＣＥ）との送受信を行う送信部２０３および受信部２０４を有する。上述したように無線端末１０から測定指示要求を受信すると、送信元の無線端末１０と関連づけた測定指示要求を送信部２０３により上位局へ転送する。また、受信部２０４により上位局から当該測定指示要求に対する測定設定情報を受信すると、制御部２０５は信号生成部２０６および無線信号送信部２０７を通して測定設定情報を無線端末１０へ送信する。この測定設定情報に従って無線端末１０で測定された測定情報が無線信号受信部２０１および復調部２０２を通して受信されると、受信した測定情報が測定情報保存部２０８に保存されると共に送信部２０３により上位局へ転送される。なお、制御部２０５は、後述するようにＭＤＴ測定に関連する無線基地局としての動作制御を行う。
【００７９】
２．３）移動管理装置／ホーム加入者管理サーバ（ＭＭＥ／ＨＳＳ）
図８（Ａ）に示すように、ＭＭＥ／ＨＳＳ３０は、無線基地局２０との間で送受信するための受信部３０１および送信部３０２と、各種機能を制御する制御部３０３と、無線端末１０の認証を行う無線端末認証部３０４と、無線端末１０の移動管理を行う無線端末移動管理部３０５と、無線通信ネットワーク運用管理装置４０や無線通信ネットワーク（オペレータ無線通信ネットワークやインターネット）に対する信号の送受信を行う送信部３０６および受信部３０７と、を有する。受信部３０１が無線基地局２０から測定指示要求を受信すると、制御部３０３は無線端末認証部３０４および無線端末移動管理部３０５による認証および移動管理に従って測定指示要求を送信部３０６を通して無線通信ネットワーク運用管理装置４０へ転送する。また、受信部３０７が無線通信ネットワーク運用管理装置４０から測定設定情報を受信すると、制御部３０３は無線端末認証部３０４および無線端末移動管理部３０５による認証および移動管理に従って測定設定情報を送信部３０２を通して無線端末１０が接続する無線基地局２０へ転送する。なお、図８では便宜上ＭＭＥとＨＳＳとを同じブロック内に記載しているが、それぞれ独立したノードとして構成することもでき、本発明の実施はどちらの場合においても可能である。
【００８０】
２．４）無線通信ネットワーク運用管理装置（ＥＭ）
図８（Ｂ）に示すように、無線通信ネットワーク運用管理装置４０は、無線基地局２０やＭＭＥ／ＨＳＳ３０からの信号を受信する受信部４０１と、無線基地局２０やＭＭＥ／ＨＳＳ３０へ信号を送信する送信部４０２と、ＭＤＴに関する制御を行うＭＤＴ制御部４０３、等から構成される。ＭＤＴ制御部４０３は、後述するように、無線端末１０からの測定指示要求を受けると、当該無線端末１０による測定がカバレッジマッピングに有効あるいは必要であると判断すれば、当該無線端末１０に対して測定開始に必要な情報を返信する。
【００８１】
２．５）トレース情報収集装置（ＴＣＥ）
図９において、トレース情報収集装置５０は、無線基地局２０や上位無線通信ネットワークノード（ＭＭＥ／ＨＳＳ３０やＥＭ４０）から信号を受信する受信部５０１と、無線基地局２０や上位無線通信ネットワークノードへ信号を送信する送信部５０２と、無線端末１０のトレース（追跡管理）を行う無線端末トレース制御部５０３と、無線端末１０により測定されたＭＤＴ測定結果を収集するＭＤＴ測定情報収集部５０４等から構成される。
【００８２】
３．第１実施例
図１０は、本発明の第１の実施例における無線端末（ＵＥ）がＭＤＴ測定実行の指示の要求を行う場合のＭＤＴのシーケンス図である。ここで、端末識別子ＩＤ(Identity)としてＩＭＳＩ(International Mobile Subscriber Identity)＝{ｘｘ．．．１}を持つ無線端末ＵＥ１がＭＤＴ測定実行の要求を行う場合を想定する。なお、ＩＭＳＩの代わりにＩＭＥＩ（ＳＶ）(International Mobile station Equipment Identity (Software Version))等の他の端末識別子を用いても良い。本実施例によるＭＤＴ測定開始手順は次の通りである。
【００８３】
ステップＳ１１：無線端末ＵＥ１は所定のトリガ条件が満たされたことを検出する（トリガ検出:Trigger detected）。
【００８４】
ステップＳ１２：無線端末ＵＥ１は無線基地局２０へＭＤＴ測定実行の指示の要求（ＭＤＴ測定指示要求:UE-initiated MDT request）を送信する。
【００８５】
ステップＳ１３：ＭＤＴ測定指示要求を受信すると、無線基地局２０は、ＭＤＴ測定実行の要求を受けたことをＭＭＥ／ＨＳＳ３０へ通知する（ＭＤＴ測定指示要求通知:MDT request indication）。
【００８６】
ステップＳ１４：ＭＭＥ／ＨＳＳ３０は、ＥＭ４０へＭＤＴ測定指示要求の通知を転送する（ＭＤＴ測定指示要求転送：MDT request transfer）。このとき、ＭＭＥ／ＨＳＳ３０は無線端末ＵＥ１のＩＤ（ＩＭＳＩ＝｛ｘｘ．．．１｝）もＥＭ４０へ通知する。
【００８７】
以下、ステップＳ１００１〜Ｓ１００９は、図２で説明したとおりであるから、ここでは省略する。以下、図１１〜図１４をそれぞれ参照して、本発明の第１実施例におけるトリガ例（無線端末によるＭＤＴ測定指示要求までのシーケンス）を説明する。なお、図２においてＵＥ１は当該指示に従って測定を実行して測定情報を取得し、取得した当該測定情報を所定タイミングでステップＳ１００６の送信元であるｅＮＢへ報告するとして説明した。ただし、本発明はこの形態に限定されるものではなく、測定情報を別のメッセージに分けて報告するという形態でもよい。また、時間的に分けて報告する形態でもよい。
【００８８】
３．１）第１トリガ例
図１１によれば、無線端末１０の保有者であるユーザ（Ｕｓｅｒ）からの指示をトリガとしてＭＤＴ測定指示要求が行われる。この場合、ユーザ（Ｕｓｅｒ）は自身の無線端末１０によるＭＤＴ測定が必要あるいは有効であると判断した時点で、無線端末１０に対してＭＤＴ測定要求を行う為に必要な処理を実行する（ステップＳ１１）。例えば、無線端末１０にＭＤＴ測定要求の実行が開始される物理的な機能（例えばボタン）が設けられている場合には、当該機能を実行（ボタンを押下）したり、ＭＤＴ測定要求の実行が開始されるアプリケーションを開始したりすることによりＭＤＴ測定要求を実行し、ＭＤＴ開始要求を送信（ステップＳ１２）することができる。
【００８９】
３．２）第２トリガ例
図１２によれば、無線端末１０の上位レイヤ（アプリケーションレイヤ）から下位レイヤ（ＲＲＣ(Radio Resource Control)レイヤ）への要求指示をトリガとしてＭＤＴ測定指示要求が行われる。まず、無線端末１０のアプリケーションレイヤからＲＲＣレイヤに対してＭＤＴ測定指示要求を行う通知を出力する（ステップＳ１１．１；ＭＤＴ要求トリガ(Trigger MDT request))。
【００９０】
次に、ＲＲＣレイヤは当該通知を受け、さらに下位レイヤである物理（ＰＨＹ）レイヤに対しＭＤＴ測定要求を無線基地局２０に送信する指示を出す（ステップＳ１１．２；ＭＤＴ要求送信指示(Indication of sending MDT request))。そして、ＰＨＹレイヤは当該指示に従い、無線基地局２０にＭＤＴ測定指示要求を送信する（ステップＳ１２）。なお、上位レイヤは必ずしもアプリケーションレイヤである必要はなく、ＮＡＳ(Non Access Stratum)レイヤでもあっても良い。
【００９１】
３．３）第３トリガ例
図１３によれば、下り信号の受信品質が所定の第１の条件を満たすことをトリガとしてＭＤＴ測定指示要求が行われる。まず、無線端末１０のＰＨＹレイヤが無線基地局２０の下りリファレンス信号の受信品質の測定を行い（ステップＳ１１．３）、その測定結果をＲＲＣレイヤへ通知する（ステップＳ１１．４；測定結果通知(Measurement result indication)）。
【００９２】
ＲＲＣレイヤでは、測定結果（或は測定結果に対するフィルタリング処理を行った結果）に対して所定の条件を満たすか否かを判定する。測定結果が所定の条件を満たす場合（ステップＳ１１．５；所定条件に合致(Predefined condition matched））、ＰＨＹレイヤに対してＭＤＴ測定要求を無線基地局２０に送信する指示を出す（ステップＳ１１．６；ＭＤＴ要求送信指示(Indication of sending MDT request)）。そして、ＰＨＹレイヤは当該指示に従い無線基地局２０にＭＤＴ測定指示要求を送信する（ステップＳ１２；UE-initiated MDT request）。本例では、無線端末が、RRCレイヤを用いて、測定結果をRRCレイヤの制御情報に含まれるように処理し、無線基地局へ通知する。ただし、本発明はこの形態に限定されるものではなく、無線基地局へ通知可能なレイヤの制御情報に含まれるように処理をして報告するという形態でもよい。また、PHYレイヤから他のレイヤに通知することなく、ＰＨＹレイヤの制御情報に含まれるように処理をして直接無線基地局へ通知するという形態でもよい。
【００９３】
なお、ステップＳ１１．５における受信品質に関する所定条件は、たとえば次の通りである：
・受信品質が所定品質未満であること；
・受信品質が所定品質未満に劣化したままで所定期間（例えば数分から数時間）を経過したこと；
・受信品質が所定品質未満に劣化したまま所定エリア（例えば当該無線端末に対して事前に登録されたエリア（ホームセル等）や無線基地局から事前に通知されたエリア）に所定期間（例えば数分から数時間）滞在したこと；あるいは
・受信品質が所定品質未満から所定品質以上へと改善したこと。
【００９４】
ここで、受信品質としては、無線端末１０が滞在しているサービングセル(serving cell)を管理する無線基地局２０の下りリファレンス信号（ＲＳ）の受信電力ＲＳＲＰ(RS Received Power)やＲＳの受信品質ＲＳＲＱ(RS Received Quality)が考えられる。なお、受信品質としてはRSに限定されたものではなく、他の制御チャネルやデータ送信チャネルを使用する形態でもよい。また、所定品質としては、ＲＳＲＰに対する閾値ＲＳＲＰ＿Ｔｈ［ｄＢｍ］やＲＳＲＱに対する閾値ＲＳＲＱ＿Ｔｈ［ｄＢ］が考えられる。
【００９５】
また、受信品質が所定品質未満から所定品質以上へと改善したことは、文字通り受信品質の値で判定しても良いし、それに相当する他の要素で判定しても良い。例えば、帰属（接続）する（可能な）無線基地局（ｅＮＢ）のセルが検出できなかった状態から脱した（検出できた）事などを判定要素として用いることもできる。
【００９６】
３．４）第４トリガ例
図１４によれば、位置に関する情報が所定の第２の条件を満たすことをトリガとしてＭＤＴ測定指示要求が行われる。まず、無線端末１０の保有者（ユーザ）がマニュアルで、或は、無線端末１０が自動的（自律的）に位置に関する情報として詳細な位置情報をアプリケーションレイヤで取得し（ステップＳ１１．６；Detailed location information obtained）、ＲＲＣレイヤへ当該詳細な位置に関する情報を通知する（ステップＳ１１．７；Indication of location information obtainment）。
【００９７】
ＲＲＣレイヤは、当該詳細な位置情報が所定条件を満たすか否かを判定し、もし所定条件を満たす場合（ステップＳ１１．８；所定条件に合致(Predefined condition matched））、ＰＨＹレイヤに対しＭＤＴ測定指示要求を無線基地局に送信する指示を出す（ステップＳ１１．９；Indication of sending MDT request）。そして、ＰＨＹレイヤは当該指示に従い無線基地局２０にＭＤＴ測定実行の指示の要求を送信する（ステップＳ１２）。
【００９８】
なお、ステップＳ１１．８における位置情報に関する所定条件は、たとえば次の通りである：
・無線端末が詳細な位置情報を正常に取得できたこと；あるいは
・無線端末が取得した詳細な位置情報の精度が所定値（例えば５０％）以上であること。
【００９９】
ここで、詳細な位置情報としては、ＧＰＳ(Global Positioning Service)に代表されるＧＮＳＳ(Global Navigation Satellite System)で取得した詳細な位置情報、位置情報サービスＬＣＳ(Location Service)で取得した詳細な位置情報、あるいは無線端末の滞在エリア（例えば、セル）と隣接エリア（セル）の下り信号の受信品質などが考えられる。
【０１００】
また、詳細な位置情報の精度としては、ＧＰＳで緯度・経度・高度などを取得した際に示される誤差情報（不確かさ）から算出する方法がある。例えば、誤差（不確かさ）が１０％の場合、精度は（１−１０／１００）×１００＝９０％となる。
【０１０１】
一方、「精度が所定値以上である事」の代わりに、「誤差が所定誤差値以下である事」という条件を設定する事もできる。さらに、本発明は、詳細な位置情報としてＧＮＳＳで取得した位置情報以外にも、ＯＴＤＯＡ(Observed Time Difference Of Arrival)などの無線通信ネットワークサポートの位置情報サービスＬＣＳ(Location Service)で取得した位置情報を用いる場合にも適用可能である。この場合、ＲＲＣレイヤでそれらの詳細な位置情報を取得し、当該位置情報を用いて上記所定条件を満たすか否かを判定し、満たす場合にはＭＤＴ測定の要求を行う。
【０１０２】
３．５）第５トリガ例
図１５によれば、周辺セルに関する所定の第３の条件を満たすことをトリガとしてＭＤＴ測定指示要求が行われる。まず、無線端末１０のＰＨＹレイヤがサービングセルの無線基地局２０および接続（帰属）できない周辺セルの無線基地局２１の下りリファレンス信号の受信品質の測定を行い（ステップＳ１１．１０）、その測定結果をＲＲＣレイヤへ通知する（ステップＳ１１．１１；測定結果通知（Measurement result indication））。
【０１０３】
ＲＲＣレイヤでは、測定結果（或は測定結果に対するフィルタリング処理を行った結果）に対して所定の条件を満たすか否かを判定する。測定結果が所定の条件を満たす場合（ステップＳ１１．１２；所定条件に合致(Predefined condition matched））、ＰＨＹレイヤに対してＭＤＴ測定要求を無線基地局２０に送信する指示を出す（ステップＳ１１．１３；ＭＤＴ要求送信指示(Indication of sending MDT request)）。そして、ＰＨＹレイヤは当該指示に従いサービングセルの無線基地局２０にＭＤＴ測定指示要求を送信する（ステップＳ１２；UE-initiated MDT request）。
【０１０４】
なお、ステップＳ１１．１２における受信品質に関する所定条件は、たとえば次の通りである：
・周辺の接続（帰属）できない無線基地局のセル（例えばnon member CSGセル）がベストセルであること；
・周辺の接続（帰属）できない無線基地局のセルがベストセルであるまま所定期間（例えば数分から数時間）を経過したこと；
・周辺の接続（帰属）できない無線基地局のセルの受信品質がサービングセルの受信品質より所定品質差（例えば3 dB）以上良いこと；あるいは
・周辺の接続（帰属）できない無線基地局のセルの受信品質がサービングセルの受信品質より所定品質差以上良いまま所定期間経過したこと。
【０１０５】
ここで、受信品質としては、無線端末１０が滞在しているサービングセルを管理する無線基地局２０や周辺セルを管理する無線基地局２１の下りリファレンス信号（ＲＳ）の受信電力ＲＳＲＰ(RS Received Power)やＲＳの受信品質ＲＳＲＱ(RS Received Quality)が考えられる。また、所定品質差としては、ＲＳＲＰに対する差分ＲＳＲＰ＿Ｄｅｌｔａ［ｄＢ］やＲＳＲＱに対する差分ＲＳＲＱ＿Ｄｅｌｔａ［ｄＢ］が考えられる。
【０１０６】
３．６）第６トリガ例
図１６によれば、セル（再）選択に関する所定の第４の条件を満たすことをトリガとしてＭＤＴ測定指示要求が行われる。まず、無線端末１０が無線基地局２０のサービングセルに滞在している状態である期間が経過した後、ＲＲＣレイヤでセル更新制御のトリガがかかると（ステップＳ１１．１４；セル更新制御開始（Cell update procedure triggered））、所定の条件を満たすか否かを判定する。所定の条件を満たす場合（ステップＳ１１．１５；所定条件に合致（Predefined condition matched））、ＰＨＹレイヤに対してＭＤＴ測定要求を無線基地局２０に送信する指示を出す（ステップＳ１１．１６；ＭＤＴ要求送信指示(Indication of sending MDT request)）。そして、ＰＨＹレイヤは当該指示に従いサービングセルの無線基地局２０にＭＤＴ測定指示要求を送信する（ステップＳ１２；UE-initiated MDT request）。
【０１０７】
なお、ステップＳ１１．１５におけるセル（再）選択に関する所定条件は、たとえば次の通りである：
・接続（帰属）できる無線基地局のセルを検出できない状況から脱して接続（帰属）できるセルを検出できたこと；
・接続（帰属）できない無線基地局（例えばCSGセルを管理するHeNB）にアクセスを試みて失敗した（拒絶された）後、接続(帰属)できる無線基地局に接続（帰属）したこと；
・異種無線アクセス技術（RAT）間（例えばLTEとUMTS、LTEとCDMA2000系等）でのセル再選択（Inter-RAT cell reselection）を行う（行った）こと；
・異種無線アクセス技術（RAT）間でハンドオーバ（Inter-RAT handover）を行う（行った）こと；
・異なるエリア間（例えば異なるPLMN間）でのセル再選択(Inter Area cell reselection)を行う（行った）こと；
・異なるエリア間でのハンドオーバ(Inter Area handover)を行う（行った）こと；
・属性の異なるセル間（例えばノーマルセルとCSGセル）でのセル再選択を行う（行った）こと；あるいは
・属性の異なるセル間でのハンドオーバを行う（行った）こと。
【０１０８】
３．７）第７トリガ例
図１７によれば、通信状況に関する所定の第５の条件を満たすことトリガとしてＭＤＴ測定指示要求が行われる。まず、無線端末１０が無線基地局２０のセルに滞在し、無線リンクの状態や無線リンクの特性などの通信状況を監視する（ステップ１１．１７；無線リンク／特性監視（Radio Link/Performance monitoring））。通信状況に関する所定の条件を満たす場合（ステップＳ１１．１８；所定条件に合致（Predefined condition matched））、ＰＨＹレイヤに対してＭＤＴ測定要求を無線基地局２０に送信する指示を出す（ステップＳ１１．１９；ＭＤＴ要求送信指示(Indication of sending MDT request)）。そして、ＰＨＹレイヤは当該指示に従い無線基地局２０にＭＤＴ測定指示要求を送信する（ステップＳ１２；UE-initiated MDT request）。
【０１０９】
なお、ステップＳ１１．１９における通信状況に関する所定条件は、たとえば次の通りである：
・無線リンク障害（Radio Link Failure: RLF）が生じた後に無線基地局との再接続を行う（行った）こと；
・ハンドオーバ失敗(Handover Failure: HOF)が生じた後に無線基地局との再接続を行う（行った）こと；
・共通制御情報の受信に所定回数連続して失敗したこと；
・共通制御情報の受信に所定回数連続して失敗した後に無線基地局との接続を行う（行った）こと；
・ページング情報を受信する為の制御情報の受信に所定回数連続して失敗したこと；
・ページング情報を受信する為の制御情報の受信に所定回数連続して失敗した後に無線基地局との接続を行う（行った）こと；
・無線基地局へのアクセスプロシージャ（例えばランダムアクセス）が失敗に終わった後で再び試みたアクセスプロシージャが成功した時；あるいは
・所定サービス品質（Quality of Service: QoS）を満たさないこと。
【０１１０】
ここで、共通制御情報は、報知制御チャネル（BCCH）でセル内の全端末に報知されるシステム情報などが考えられる。
【０１１１】
３．８）効果
上述したように、本発明の第１実施例によれば、無線端末を保有する利用者（ユーザ）がＭＤＴ測定が必要と考えた場合、或は、無線端末が自律的にＭＤＴ測定が必要と判定した場合に、無線端末から無線通信ネットワーク（無線基地局／基地局制御局、無線通信ネットワーク運用管理装置などの上位局）へＭＤＴ測定実行開始の要求を通知することができる。このＭＤＴ測定指示要求を受けた時に、無線通信ネットワーク側が当該無線端末によるＭＤＴ測定が必要と判定した場合、実際に当該無線端末に対してＭＤＴ測定報告を実行させるように制御することができる。こうして、無線通信ネットワーク側は、カバレッジに問題があるエリア（セル等）における受信品質および当該エリアの位置情報（詳細な位置情報など）を収集することができ、収集した情報を用いて最適なカバレッジマッピングの実現できる。本発明は、特に限られた無線端末のみが滞在することができる限定エリアなどカバレッジ問題がある場合に有効である。
【０１１２】
４．第２実施例
上述した第１実施例では、無線通信ネットワーク運用管理装置（ＥＭ）４０が無線端末１０からのＭＤＴ測定指示要求を受けて当該無線端末にＭＤＴ測定報告をさせるか否かを判定しているが、この判定をＭＭＥ／ＨＳＳ３０が行うこともできる。
【０１１３】
図１８は本発明の第２実施例によるＭＤＴ測定シーケンスを示しているが、図１０の第１実施例との相違点は、無線基地局２０経由で無線端末１０のＭＤＴ測定実行開始要求の通知を受けたＭＭＥ／ＨＳＳ３０が当該無線端末１０に対してＭＤＴ測定報告をさせる制御を開始する点である。図１８に示すシーケンスでは、ＭＭＥ／ＨＳＳ３０が無線通信ネットワーク運用管理装置（ＥＭ）４０から事前に通知がなかった端末ＩＤ（ＩＭＳＩ／ＩＭＥＩ（ＳＶ）等）を持つ無線端末１０からＭＤＴ測定実行開始要求を受けた場合を例示している。なお、図１０に示す動作と同じステップには同一参照番号を付して説明は簡略化する。
【０１１４】
まず、ＭＭＥ／ＨＳＳ３０は、ステップＳ１００１において無線通信ネットワーク運用管理装置４０から通知された無線端末ＩＤに基づいて制御対象となる無線端末に対してＭＤＴ測定報告の制御を開始するが、この例では、制御対象となる無線端末に当該無線端末１０（すなわちＵＥ１）が含まれていない。
【０１１５】
この場合、ＭＭＥ／ＨＳＳ３０は、ＭＤＴ測定実行開始要求を受けた無線端末１０のＩＤ（ＩＭＳＩ＝｛ｘｘ．．．１｝）を基に、ＭＤＴ測定報告を行わせる対象として当該無線端末１０を選択する（ステップＳ１００２；MDT UE selection based on IMSI/IMEI(SV)。そして、ＭＭＥ／ＨＳＳ３０は、選択した当該無線端末１０をＭＤＴ測定報告させる対象として選択した事を当該無線端末１０のＩＤ（ＩＭＳＩ＝｛ｘｘ．．．１｝）と共に無線通信ネットワーク運用管理装置４０へ通知する（ステップＳ１００２ａ；UE selection indication）。
【０１１６】
以降のステップＳ１００３〜Ｓ１００９は、図２において既に述べたとおりであるから説明は省略する。
【０１１７】
本発明の第２実施例によれば、ＭＤＴ測定実行開始を要求した無線端末（ＵＥ）に対して実際にＭＤＴ測定報告を行わせるか否かをＭＭＥ／ＨＳＳ３０が判定する。従って、無線通信ネットワーク運用管理装置４０が判定するよりも早く当該要求に対応することができる。
【０１１８】
５．変形例
上述した本発明の第１実施例および第２実施例では、ＭＤＴの方式としてシグナリングベース方式の即時ＭＤＴを例示したが、即時ＭＤＴの代わりにログＭＤＴを用いることもできる。ログＭＤＴを用いる場合、無線端末（ＵＥ）は、無線基地局（ｅＮＢ）から指定されたログＭＤＴの設定（Logged MDT Configuration あるいは Logged Measurement Configurationなどと呼ばれるメッセージで送信される）に従いＭＤＴ測定ロギングを実行する。
【０１１９】
一方、無線端末（ＵＥ）が、ＭＤＴ測定の実行の要求を行う際に、どちらか（即時ＭＤＴあるいはログＭＤＴ）を選択するようにしても良い。これを実現する方法としては、例えばＲＲＣメッセージで、１ビットのフラグ（０：即時ＭＤＴ、１：ログＭＤＴ）を送信する方法や、即時ＭＤＴかログＭＤＴかを直接示す情報を送信する方法が考えられる。
【０１２０】
さらに、シグナリングベース方式の代わりに、マネージメントベース方式を用いても良い。この場合、ＭＤＴ測定の実行の要求を受けた無線基地局（ｅＮＢ）又は無線端末のＭＭＥ／ＨＳＳがＭＤＴ測定報告の要否を判断し、必要と判断した場合には当該要求を受けた無線端末（ＵＥ）に対してＭＤＴ測定報告の制御を開始する。
【０１２１】
また、上述した本発明の第１実施例および第２実施例では、ＭＤＴ測定の実行を要求する（ＭＤＴ測定指示要求を行う）無線端末（ＵＥ）が既に無線基地局（ｅＮＢ）と接続を完了していること（つまり、ＵＥがアクティブ状態（ＲＲＣ＿Ｃｏｎｎｅｃｔｅｄ）である事）を想定している。しかし、無線端末（ＵＥ）がアイドル状態（ＲＲＣ＿Ｉｄｌｅ）からＭＤＴ測定の実行を要求する場合でも本発明が適用できることは言うまでもない。そのような場合、まず通常のアイドル状態からアクティブ状態への遷移の為に、無線基地局（ｅＮＢ）と無線接続確立を行うプロシージャ（RRC Connection Setup Procedure, RRC Connection Reestablishment Procedure等）を実行した後、上述の第１実施例や第２実施例で示した処理を実行する方法が考えられる。この場合、例えばＲＲＣメッセージを用いて当該要求を示す情報（１ビットフラグなど）を通知する。また、無線接続確立を行うプロシージャを行う際に、当該要求を実行するようにしても良い。例えば、無線接続要求（RRC Connection Request）メッセージ、無線接続確立完了（RRC Connection Setup Complete）メッセージ、無線接続再確立要求（RRC Connection Reestablishment Request）メッセージ、無線接続再確立完了（RRC Connection Reestablishment Complete）メッセージなどに当該要求を示す情報（１ビットフラグなど）を入れて通知しても良い。
【０１２２】
６．第３実施例
本発明の第３実施例によれば、無線通信ネットワーク側が無線端末（ＵＥ）に対してＭＤＴ測定指示要求を行う所定トリガ条件を通知する。この通知する情報としては、トリガ条件の詳細でも良いし、必要となる設定値（閾値などのパラメータ）のみでも良い。ただし、本発明の適用範囲はこれらに限定はされない。
【０１２３】
図１９において、本発明の第３実施例によるシーケンスは次の通りである。
【０１２４】
ステップＳ１６：無線通信ネットワーク運用管理装置４０は、ＭＤＴ測定の実行の要求をＵＥが行う為に必要なトリガに関連する条件をＭＭＥ／ＨＳＳへ通知する（トリガ条件情報(Trigger condition information）)。ただし、ここでは、ステップＳ１６を独立して記載したが、既に述べたように無線通信ネットワーク運用管理装置４０がＨＳＳへ通知するトレースセッション開始(Trace Session Activation)メッセージにこのトリガ条件情報を含めることもできる。ＨＳＳは、対象となるＵＥが滞在するエリア（例えばトラッキングエリアＴＡ(Tracking Area)を管理するＭＭＥへトレースセッション実行メッセージを転送する。ただし、図１６ではＥＭからＨＳＳ、ＨＳＳからＭＭＥへのメッセージを省略し、ＥＭからＭＭＥ／ＨＳＳへのメッセージとして記載している。ＭＭＥは、ＥＭから通知されたＵＥのＩＤ（ＩＭＳＩ／ＩＭＥＩ（ＳＶ））を基に、実際にＭＤＴの測定情報の取得・報告を行わせるＵＥを選択する。
【０１２５】
ステップＳ１７：ＭＭＥ／ＨＳＳ３０は、無線通信ネットワーク運用管理装置４０から通知された当該トリガ条件情報を無線基地局２０へ転送する（トリガ条件転送(Trigger condition transfer)。
【０１２６】
ステップＳ１８：無線基地局２０は、配下の無線端末１０（ＵＥ１）へ当該トリガ条件情報を報知する（Trigger configuration）。尚、任意に選択したＵＥへ個別に通知したり、ＥＭやＭＭＥ／ＨＳＳなどの上位局から指定された特定のＵＥに個別に通知したりする方法も考えられる。これらの方法を適用する場合、報知情報の代わりにＲＲＣメッセージを用いる。また、ＥＭやＭＭＥ／ＨＳＳがＵＥを指定する場合、シグナリングベース方式と同様にＵＥのＩＤを通知しても良いし、当該トリガに関連する条件を通知するＵＥを区別して通知しても良い。
【０１２７】
こうして無線端末１０にトリガ条件が設定されると、既に第１実施例で述べたようにステップＳ１１〜Ｓ１４およびステップＳ１００１〜Ｓ１００９が実行される。
【０１２８】
上述したように、本発明の第３実施例によれば、無線通信ネットワーク側で必要な情報を収集できるようにトリガ条件を無線端末１０に設定することができる。したがって、実際に当該無線端末（ＵＥ）に対してＭＤＴ測定報告を実行させるように制御することで、カバレッジに問題があるエリア（セル等）における受信品質および当該エリアの位置情報（詳細な位置情報など）を収集することができ、収集した情報を用いて最適なカバレッジマッピングの実現できる。
【０１２９】
７．第４実施例
本発明の第４実施例によれば、無線通信ネットワーク側が無線端末（ＵＥ）に対してＭＤＴ測定指示要求を行う所定トリガ条件を有効にする指示を通知する。この有効化指示としては、有効フラグ（例えば、１ビット）を通知しても良いし、有効にするトリガの種類（或は、ＵＥ側でそれが分かる情報）を通知しても良い。ただし、本発明の適用範囲はこれらに限定はされない。
【０１３０】
図２０において、本発明の第４実施例によるシーケンスは次の通りである。
【０１３１】
ステップＳ１６ａ：無線通信ネットワーク運用管理装置４０は、所定トリガに基づくＭＤＴ測定指示要求を有効化にする指示をＭＭＥ／ＨＳＳ３０へ通知する（トリガ有効化指示(Trigger Activation）)。ただし、ここでは、ステップＳ１６ａを独立して記載したが、既に述べたように無線通信ネットワーク運用管理装置４０がＨＳＳへ通知するトレースセッション開始(Trace Session Activation)メッセージにこのトリガ有効化指示を含めることもできる。ＨＳＳは、対象となるＵＥが滞在するエリア（例えばトラッキングエリアＴＡ(Tracking Area)を管理するＭＭＥへトレースセッション実行メッセージを転送する。ただし、図２０ではＥＭからＨＳＳ、ＨＳＳからＭＭＥへのメッセージを省略し、ＥＭからＭＭＥ／ＨＳＳへのメッセージとして記載している。ＭＭＥは、ＥＭから通知されたＵＥのＩＤ（ＩＭＳＩ／ＩＭＥＩ（ＳＶ））を基に、実際にＭＤＴの測定情報の取得・報告を行わせるＵＥを選択する。
【０１３２】
ステップＳ１７ａ：ＭＭＥ／ＨＳＳ３０は、無線通信ネットワーク運用管理装置４０から通知された当該トリガ有効化指示を無線基地局２０へ転送する（トリガ有効化指示転送(Trigger Activation transfer)。
【０１３３】
ステップＳ１８ａ：無線基地局２０は、配下の無線端末１０（ＵＥ１）へ当該トリガ有効化指示を報知する（Trigger Activation Indication）。尚、任意に選択したＵＥへ個別に通知したり、ＥＭやＭＭＥ／ＨＳＳなどの上位局から指定された特定のＵＥに個別に通知したりする方法も考えられる。これらの方法を適用する場合、報知情報の代わりにＲＲＣメッセージを用いる。また、ＥＭやＭＭＥ／ＨＳＳがＵＥを指定する場合、シグナリングベース方式と同様にＵＥのＩＤを通知しても良いし、当該トリガに関連する条件を通知するＵＥを区別して通知しても良い。
【０１３４】
こうして無線端末１０にトリガ条件が設定されると、既に第１実施例で述べたようにステップＳ１１〜Ｓ１４およびステップＳ１００１〜Ｓ１００９が実行される。
【０１３５】
上述したように、本発明の第４実施例によれば、無線通信ネットワーク側で必要な情報を収集できるようにトリガ条件を無線端末１０に設定し、そのトリガ条件を有効化する指示を送信することで、無線通信ネットワーク側が必要とする情報を必要とする時に収集することが可能となる。したがって、実際に当該無線端末（ＵＥ）に対してＭＤＴ測定報告を実行させるように制御することで、カバレッジに問題があるエリア（セル等）における受信品質および当該エリアの位置情報（詳細な位置情報など）を収集することができ、収集した情報を用いて最適なカバレッジマッピングの実現できる。
【０１３６】
８．第２実施形態
図２１に示すように、ここでは３ＧＰＰ  ＵＭＴＳの無線通信システムを想定しており、無線端末（ＵＥ）１０ａ、無線基地局／基地局制御局（ＮＢ／ＲＮＣ）２０ａ、サービングＧＰＲＳサポートノード（ＳＧＳＮサーバとも呼ぶ）／移動（通信）交換局（ＭＳＣサーバとも呼ぶ）／ホーム加入者管理サーバ（ＳＧＳＮ／ＭＳＣ／ＨＳＳ）３０ａ、無線通信ネットワーク運用管理装置（ＥＭ）４０ａ、および図示されていないトレース情報収集装置(TCE: Trace Collection Entity)から構成される。
【０１３７】
無線端末１０ａにおいて所定のトリガがかかった場合（ステップＳ１１：トリガ検出"Trigger detected"）、無線端末１０ａはＮＢ／ＲＮＣ２０ａにＭＤＴ測定(MDT measurement)実行の指示の要求（測定指示要求）を送信する（ステップＳ１２："UE-initiated MDT request"）。
【０１３８】
さらに、本発明では、図１８のオプションＡ）に示すように、ＭＤＴ測定指示要求を受けたＮＢ／ＲＮＣ２０ａが、当該要求をＳＧＳＮ／ＭＳＣ／ＨＳＳ３０ａに通知し(ステップＳ１３；測定指示要求通知(MDT request indication))、さらにＳＧＳＮ／ＭＳＣ／ＨＳＳ３０ａが無線通信ネットワーク運用管理装置（ＥＭ）４０ａに転送する（ステップＳ１４；測定指示要求転送(MDT request transfer)）。また、図１８のオプションＢ）に示すように、ＭＤＴ測定の実行の要求を受けたＮＢ／ＲＮＣ２０ａが、当該要求を直接無線通信ネットワーク運用管理装置４０ａへ通知することもできる（ステップＳ１５）。これにより、ＭＤＴ測定を制御している上位の無線通信ネットワークノード（ＳＧＳＮ／ＭＳＣ／ＨＳＳやＥＭ）が無線端末１０ａによるＭＤＴ測定の実行の要求を認識することができる。当該要求を認識した上位の無線通信ネットワークノード（ＳＧＳＮ／ＭＳＣ／ＨＳＳやＥＭ）は、必要に応じて当該無線端末１０ａへＭＤＴ測定実行の指示を行う。これにより、無線端末側でＭＤＴ測定の実行が必要であると判定されるような状況、或は、ＭＤＴ測定の実行が望まれているような状況において、無線通信ネットワーク側で当該状況を認識し、それらに適宜対応することが可能となる。
【０１３９】
本発明の第２実施形態による無線通信システムにおける無線端末（ＵＥ）および各無線通信ネットワークノードの機能構成は、図５、図７〜図９に示すものと類似の構成なので図示は省略する。尚、ＮＢ／ＲＮＣ２０ａの構成は図７に示すｅＮＢの構成に類似しており、ＳＧＳＮ／ＭＳＣ／ＨＳＳ３０ａの構成は図８に示すＭＭＥ／ＨＳＳの構成に類似している。ＮＢとＲＮＣは基本的に別のノードである為、ＮＢとＲＮＣの間に物理的なインタフェースが存在する等の細部の違いはあるが、本発明を適用する上での機能的な大きな違いはない。
【０１４０】
９．第５実施例
図２２は、本発明の第５実施例における無線端末（ＵＥ）がＭＤＴ測定実行の要求を行う場合のＭＤＴのシーケンス図である。ここで、端末識別子ＩＤ(Identity)としてＩＭＳＩ(International Mobile Subscriber Identity)＝{ｘｘ．．．１}を持つ無線端末ＵＥ１がＭＤＴ測定実行の要求を行う場合を想定する。なお、ＩＭＳＩの代わりにＩＭＥＩ（ＳＶ）(International Mobile station Equipment Identity (Software Version))等の他の端末識別子を用いても良い。本実施例によるＭＤＴ測定開始手順は次の通りである。
【０１４１】
ステップＳ１１：無線端末ＵＥ１は所定のトリガ条件が満たされたことを検出する（トリガ検出:Trigger detected）。
【０１４２】
ステップＳ１２：無線端末ＵＥ１はＮＢ／ＲＮＣ２０ａへＭＤＴ測定実行の要求（ＭＤＴ開始要求:UE-initiated MDT request）を送信する。
【０１４３】
ステップＳ１３：ＭＤＴ開始要求を受信すると、ＮＢ／ＲＮＣ２０ａは、ＭＤＴ測定実行の要求を受けたことをＳＧＳＮ／ＭＳＣ／ＨＳＳ３０ａへ通知する（ＭＤＴ開始要求通知:MDT request indication）。
【０１４４】
ステップＳ１４：ＳＧＳＮ／ＭＳＣ／ＨＳＳ３０ａは、ＥＭ４０ａへＭＤＴ測定指示要求の通知を転送する（ＭＤＴ開始要求転送：MDT request transfer）。このとき、ＳＧＳＮ／ＭＳＣ／ＨＳＳ３０ａは無線端末ＵＥ１のＩＤ（ＩＭＳＩ＝｛ｘｘ．．．１｝）もＥＭ４０ａへ通知する。
【０１４５】
図２２において、シグナリングベース方式の即時ＭＤＴは、以下のステップにより実行される。
【０１４６】
ステップＳ２００１：ＥＭ４０ａはシグナリングベース方式のＭＤＴを実行する為に必要な情報として、ＭＤＴの無線端末測定の設定情報（MDT measurement configuration）、測定情報を取得・報告させるＵＥのＩＤ(ＩＭＳＩ又はＩＭＥＩ（ＳＶ）：International Mobile station Equipment Identity (Software Version))、ＭＤＴの対象位置情報(Area info)等を含んだトレースセッション開始(Trace Session Activation)メッセージをＨＳＳに通知する。ＨＳＳは、対象となるＵＥ１が滞在するエリア（例えばトラッキングエリアＴＡ(Tracking Area)を管理するＧＳＮ／ＭＳＣへトレースセッション実行メッセージを転送する。図２２ではＥＭからＨＳＳ、ＨＳＳからＳＧＳＮ／ＭＳＣへのメッセージを省略し、ＥＭ４０ａからＳＧＳＮ／ＭＳＣ／ＨＳＳ３０ａへのメッセージとして記載している。
【０１４７】
ステップＳ２００２：ＳＧＳＮ／ＭＳＣ／ＨＳＳ３０ａは、トレース(Trace)制御情報と設定パラメータを保存する（Storing Trace Control and Configuration Parameters）。
【０１４８】
ステップＳ２００３：通知されたＵＥのＩＤ（ＩＭＳＩ＝｛ｘｘ．．．１｝）を基に、実際にＭＤＴ測定報告を行わせるＵＥを選択する（MDT UE selection based on IMSI）。図１９では、ＥＭからＩＭＳＩ＝｛ｘｘ．．．１｝が通知されている為、ＳＧＳＮ／ＭＳＣ／ＨＳＳ３０ａはＵＥ１を選択する。
【０１４９】
ステップＳ２００４：トレース機能を開始する（Start Trace Session）。
【０１５０】
ステップＳ２００５：ＳＧＳＮ／ＭＳＣ／ＨＳＳ３０ａは、ＵＥ１が接続しているＮＢ／ＲＮＣ２０ａに当該ＵＥ１に対するトレース機能の実行開始通知（CN Invoke Trace/MDT measurement configuration）およびＭＤＴ測定報告の設定情報の通知（MDT measurement configuration）を行う。
【０１５１】
ステップＳ２００６：ＮＢ／ＲＮＣ２０ａは、通知されたトレース制御情報と設定パラメータを基に、ＵＥ１に対してＭＤＴ測定報告を指示するメッセージを送信する(Measurement configuration)。
【０１５２】
ステップＳ２００７：ＵＥ１は当該指示に従いＭＤＴ測定を行い、取得した測定情報を所定タイミングでＮＢ／ＲＮＣ２０ａへ報告する（UE measurement reporting）。
【０１５３】
ステップＳ２００８：ＮＢ／ＲＮＣ２０ａはＵＥ１から報告された測定情報をＳＧＳＮ／ＭＳＣ／ＨＳＳ３０ａに通知する（Trace reporting）。
【０１５４】
ステップＳ２００９：ＳＧＳＮ／ＭＳＣ／ＨＳＳ３０ａは、トレース用のメモリ（Trace Records）に保存する（Saving UE measurements to Trace Records）。
【０１５５】
ステップＳ２０１０：ＳＧＳＮ／ＭＳＣ／ＨＳＳ３０ａは保存しているTrace Recordsを所定タイミング（例えば周期的報告）でＴＣＥへと報告する（Trace Record reporting）。
【０１５６】
無線端末（ＵＥ）が、ＭＤＴ測定実行の要求を行うトリガは、上述した第１実施例に記載したものと同様のものが考えられる。ただし、受信品質に関連する所定条件が満たされた事をトリガとして用いる場合、受信品質としては、無線端末（ＵＥ）が滞在しているサービングセルを管理する無線基地局（ＮＢ）の下りパイロット信号（共通パイロットチャネルCPICH（Common Pilot Channel）とも呼ぶ。）の受信電力ＲＳＣＰ（Received Signal Code Power）やＣＰＩＣＨの受信品質（Received energy per chip divided by the power density in the band: Ec/No）が考えられる（Ｅｃ／Ｎｏは、Ratio of energy per modulating bit to the noise spectral density）の略称とされる場合もある）。また、所定品質とはＣＰＩＣＨ  ＲＳＣＰに対する閾値ＲＳＣＰ＿Ｔｈ［ｄＢｍ］、Ｅｃ／Ｎｏに対する閾値Ｅｃ／Ｎｏ＿Ｔｈ［ｄＢ］が考えられる。
【０１５７】
上述の本発明の第５実施例で示した制御により、無線端末（ＵＥ）を保有する利用者（ユーザ）がＭＤＴ測定が必要と考えた場合、或は、ＵＥが自律的にＭＤＴ測定が必要と判定した場合に、ＵＥから無線通信ネットワーク（ＮＢ／ＲＮＣ、上位局、無線通信ネットワーク運用管理装置など）へＭＤＴ測定実行の要求を通知することができる。さらに、無線通信ネットワーク側で必要と判定した場合、実際に当該無線端末（ＵＥ）に対してＭＤＴ測定報告を実行させるように制御することができる。この結果、カバレッジに問題があるエリア（セル等）における受信品質および当該エリアの位置情報（詳細な位置情報など）を収集することができ、収集した情報を用いて最適なカバレッジマッピングの実現できる。さらに、収集することが困難であった限られた無線端末（ＵＥ）のみが滞在する限定エリアにおける受信品質まで考慮したカバレッジ最適化を実現できる。
【０１５８】
１０．変形例
上述した本発明の第５実施例では、ＭＤＴの方式としてシグナリングベース方式の即時ＭＤＴを例示したが、即時ＭＤＴの代わりにログＭＤＴを用いることもできる。ログＭＤＴを用いる場合、無線端末（ＵＥ）は、無線基地局（ＮＢ）／基地局制御局（ＲＮＣ）から指定されたログＭＤＴの設定（Logged MDT Configuration あるいは Logged Measurement Configurationなどと呼ばれるメッセージで送信される）に従いＭＤＴ測定ロギングを実行する。
【０１５９】
一方、無線端末（ＵＥ）が、ＭＤＴ測定の実行の要求を行う際に、どちらか（即時ＭＤＴあるいはログＭＤＴ）を選択するようにしても良い。これを実現する方法としては、例えばＲＲＣメッセージで、１ビットのフラグ（０：即時ＭＤＴ、１：ログＭＤＴ）を送信する方法や、即時ＭＤＴかログＭＤＴかを直接示す情報を送信する方法が考えられる。
【０１６０】
さらに、シグナリングベース方式の代わりに、マネージメントベース方式を用いても良い。この場合、ＭＤＴ測定の実行の要求を受けた無線基地局（ＮＢ）／基地局制御局（ＲＮＣ）又はサービングＧＰＲＳサポートノード（ＳＧＳＮ）／移動(通信)交換局（ＭＳ
Ｃ）／ホーム加入者サーバ（ＨＳＳ）がＭＤＴ測定報告の要否を判断し、必要と判断した場合には当該要求を受けた無線端末（ＵＥ）に対してＭＤＴ測定報告の制御を開始する。
【０１６１】
また、上述した本発明の第５実施例では、ＭＤＴ測定の実行を要求する無線端末（ＵＥ）が既に無線基地局（ＮＢ）／基地局制御局（ＲＮＣ）と接続を完了していること（つまり、ＵＥがアクティブ状態（UTRA RRC Connected mode）である事）を想定している。しかし、無線端末（ＵＥ）がアイドル状態（Idle mode）からＭＤＴ測定の実行を要求する場合でも本発明が適用できることは言うまでもない。そのような場合、まず通常のアイドル状態からアクティブ状態への遷移の為に、無線基地局（ＮＢ）／基地局制御局（ＲＮＣ）と無線接続確立を行うプロシージャ（RRC Connection Setup Procedure等）を実行した後、上述の第５実施例で示した処理を実行する方法が考えられる。この場合、例えばＲＲＣメッセージを用いて当該要求を示す情報（１ビットフラグなど）を通知する。また、無線接続確立を行うプロシージャを行う際に、当該要求を実行するようにしても良い。例えば、RRC Connection Requestメッセージ、RRC Connection Setup Completeメッセージ、RRC Connection Reestablishment Requestメッセージ、RRC Connection Reestablishment Completeメッセージなどに当該要求を示す情報（１ビットフラグなど）を入れて通知しても良い。
【０１６２】
さらに、これまで述べた第１および第２実施形態では無線通信システムとして３ＧＰＰ  ＬＴＥやＵＭＴＳを想定して説明したが、本発明の対象はそれらに限定されることはなく、ＧＳＭ（Global System for Mobile communications）、ＷｉＭＡＸ(Worldwide interoperability for Microwave Access)などにも適用可能である。
【０１６３】
１１．付記
上述した実施形態の一部あるいは全部は、以下の付記のようにも記載されうるが、これらに限定されるものではない。
【０１６４】
（付記１）
無線局と通信可能な無線端末であって、
無線局へ測定指示を要求する信号を送信する測定指示要求手段と、
前記無線局から受信した前記測定指示に従って測定を実行する測定手段と、
測定結果と当該無線端末の位置に関係する情報とを報告する信号を前記無線局へ送信する報告手段と、
を有することを特徴とする無線端末。
【０１６５】
（付記２）
前記測定指示要求手段は、端末におけるトリガ発生に応じて前記測定指示を要求する信号を送信することを特徴とする付記１に記載の無線端末。
【０１６６】
（付記３）
前記端末におけるトリガは、当該無線端末の利用者による測定指示要求操作または当該無線端末内部のＲＲＣ(Radio Resource Control)レイヤあるいはその上位レイヤから発生することを特徴とする付記２に記載の無線端末。
【０１６７】
（付記４）
前記測定指示要求手段は、前記無線局から受信する下り信号の受信品質、前記位置に関係する情報、周辺セルに関係する情報、セル選択に関係する情報、通信状況に関係する情報のうち少なくとも一つに基づいて前記端末におけるトリガ発生を検出することを特徴とする付記３に記載の無線端末。
【０１６８】
（付記５）
前記測定指示要求手段は、前記受信品質が所定値より劣化した時、当該受信品質劣化が所定時間以上持続した時、あるいは前記受信品質が前記所定値より改善した時に前記端末におけるトリガ発生を検出することを特徴とする付記４に記載の無線端末。
【０１６９】
（付記６）
前記測定指示要求手段は、前記位置に関係する情報が所定エリアを示している時、前記位置に関係する情報が取得できた時、前記位置に関係する情報の精度が所定値以上である時、の少なくともいずれかの時に前記端末におけるトリガ発生を検出することを特徴とする付記４または５に記載の無線端末。
【０１７０】
（付記７）
前記位置に関係する情報は、ＧＮＳＳ(Global Navigation Satellite System)または前記無線局を含む無線通信ネットワークによる位置情報サービスＬＣＳ(Location Service)を用いて取得した位置情報を含むことを特徴とする付記６に記載の無線端末。
【０１７１】
（付記８）
前記端末におけるトリガの発生条件が前記無線局から通知されることを特徴とする付記２−７のいずれか１項に記載の無線端末。
【０１７２】
（付記９）
前記測定指示を要求する前に、前記位置に関係する情報を取得することを特徴とする付記１−８のいずれか１項に記載の無線端末。
【０１７３】
（付記１０）
前記測定指示要求手段が前記測定指示を要求する場合、前記無線端末がアイドル状態(RRC_Idle)からアクティブ状態(RRC_Connected)へと遷移し、前記無線局との接続確立要求メッセージまたは接続確立完了メッセージを用いて前記測定指示要求を送信することを特徴とする付記１−９のいずれか１項に記載の無線端末。
【０１７４】
（付記１１）
無線局と通信可能な無線端末における通信制御方法であって、
測定指示要求手段が無線局へ測定指示を要求する信号を送信し、
測定手段が前記無線局から受信した前記測定指示に従って測定を実行し、
報告手段が測定結果と当該無線端末の位置に関係する情報とを報告する信号を前記無線局へ送信する、
ことを特徴とする通信制御方法。
【０１７５】
（付記１２）
前記測定指示要求手段が端末におけるトリガ発生に応じて前記測定指示を要求する信号を送信することを特徴とする付記１１に記載の通信制御方法。
【０１７６】
（付記１３）
前記端末におけるトリガは当該無線端末の利用者による測定指示要求操作または当該無線端末内部のＲＲＣ(Radio Resource Control)レイヤあるいはその上位レイヤから発生することを特徴とする付記１２に記載の通信制御方法。
【０１７７】
（付記１４）
前記測定指示要求手段は、前記無線局から受信する下り信号の受信品質、前記位置に関係する情報、周辺セルに関係する情報、セル選択に関係する情報、通信状況に関係する情報のうち少なくとも一つに基づいて前記端末におけるトリガ発生を検出することを特徴とする付記１３に記載の通信制御方法。
【０１７８】
（付記１５）
前記測定指示要求手段が、前記受信品質が所定値より劣化した時、当該受信品質劣化が所定時間以上持続した時、あるいは前記受信品質が前記所定値より改善した時に前記端末におけるトリガ発生を検出することを特徴とする付記１４に記載の通信制御方法。
【０１７９】
（付記１６）
前記測定指示要求手段が、前記位置に関係する情報が所定エリアを示している時、前記位置に関係する情報が取得できた時、前記位置に関係する情報の精度が所定値以上である時、の少なくともいずれかの時に前記端末におけるトリガ発生を検出することを特徴とする付記１４または１５に記載の通信制御方法。
【０１８０】
（付記１７）
前記位置に関係する情報はＧＮＳＳ(Global Navigation Satellite System)または前記無線局を含む無線通信ネットワークによる位置情報サービスＬＣＳ(Location Service)を用いて取得した位置情報を含むことを特徴とする付記１６に記載の通信制御方法。
【０１８１】
（付記１８）
前記測定指示を要求する前に前記位置に関係する情報を取得することを特徴とする付記１１−１７のいずれか１項に記載の通信制御方法。
【０１８２】
（付記１９）
前記端末におけるトリガの発生条件が前記無線局から通知されることを特徴とする付記１２−１８のいずれか１項に記載の通信制御方法。
【０１８３】
（付記２０）
前記測定指示要求手段が前記測定指示を要求する場合、前記無線端末がアイドル状態(RRC_Idle)からアクティブ状態(RRC_Connected)へと遷移し、前記無線局との接続確立要求メッセージまたは接続確立完了メッセージを用いて前記測定指示要求を送信することを特徴とする付記１１−１９のいずれか１項に記載の通信制御方法。
【０１８４】
（付記２１）
無線局と前記無線局と通信可能な無線端末と、を含む無線通信システムであって、
前記無線端末が前記無線局へ測定指示を要求する信号を送信し、
前記無線端末が前記無線局から受信した前記測定指示に従った測定を実行し、
前記無線端末が測定結果と当該無線端末の位置に関係する情報とを報告する信号を前記無線局へ送信する、
ことを特徴とする無線通信システム。
【０１８５】
（付記２２）
前記無線端末が移動端末であり、前記無線局が無線基地局あるいは基地局制御局であることを特徴とする付記２１に記載の無線通信システム。
【０１８６】
（付記２３）
無線端末と通信可能な無線局であって、
測定指示を含む信号を前記無線端末へ送信する指示送信手段と、
前記無線端末から受信した測定結果と前記無線端末の位置に関係する情報とを格納する格納手段と、
前記測定結果と前記位置に関係する情報とを無線通信ネットワークの情報収集装置へ送信する情報送信手段と、
を有することを特徴とする無線局。
【０１８７】
（付記２４）
無線局と通信可能な制御装置であって、
無線端末から送信された測定指示要求信号を前記無線局から受信する受信手段と、
前記測定指示要求信号に対して当該無線端末の測定結果が必要か否かを判定する制御手段と、
必要と判定されると、前記無線端末に対して測定指示信号を送信する送信手段と、
を有することを特徴とする制御装置。
【０１８８】
（付記２５）
前記制御手段が前記無線端末に前記測定指示を要求するか否かを判定するためのトリガ条件を設定することを特徴とする付記２４に記載の制御装置。
【０１８９】
（付記２６）
前記制御手段が前記無線端末に設定された前記測定指示を要求するか否かを判定するためのトリガ条件を有効にする指示を送信することを特徴とする付記２４または２５に記載制御装置。
【０１９０】
（付記２７）
無線局と無線通信ネットワーク運用管理装置とを含むネットワークと、前記無線局に接続可能な無線端末と、を有する無線通信システムにおける通信方法であって、
前記無線端末が前記無線局へ測定指示を要求する信号を送信し、
前記無線局が前記測定指示要求を前記無線通信ネットワーク運用管理装置へ転送し、
前記無線通信ネットワーク運用管理装置が前記無線局を通して前記無線端末へ前記測定指示を送信し、
前記無線端末が前記測定指示を受信することで前記測定指示に従った測定を実行し、
前記無線端末が測定結果と前記無線端末の位置に関係する情報とを前記無線局へ送信する、
ことを特徴とする無線通信システムにおける通信方法。
【０１９１】
（付記２８）
無線局と通信可能な無線端末におけるプログラム制御プロセッサを機能させるプログラムであって、
測定指示要求手段が無線局に測定指示を要求し、
測定手段が前記無線局から受信した前記測定指示に従って測定を実行し、
報告手段が測定された情報と当該無線端末の位置に関係する情報とを前記無線局へ報告する、
ように前記プログラム制御プロセッサを機能させることを特徴とするプログラム。
【産業上の利用可能性】
【０１９２】
本発明は３ＧＰＰ等の移動体通信システムに適用可能である。
【符号の説明】
【０１９３】
１０  無線端末
２０  無線基地局
３０  移動管理装置／ホーム加入者管理サーバ（ＭＭＥ／ＨＳＳ）
４０  無線通信ネットワーク運用管理装置（ＥＭ）
５０  トレース情報収集装置（ＴＣＥ）
１０１  無線信号受信部
１０２  復調部
１０３  制御部
１０４  測定部
１０５  信号生成部
１０６  無線信号送信部
【図１】
2014514786.tif 000003
【図２】
2014514786.tif 000004
【図３】
2014514786.tif 000005
【図４】
2014514786.tif 000006
【図５】
2014514786.tif 000007
【図６】
2014514786.tif 000008
【図７】
2014514786.tif 000009
【図８】
2014514786.tif 000010
【図９】
2014514786.tif 000011
【図１０】
2014514786.tif 000012
【図１１】
2014514786.tif 000013
【図１２】
2014514786.tif 000014
【図１３】
2014514786.tif 000015
【図１４】
2014514786.tif 000016
【図１５】
2014514786.tif 000017
【図１６】
2014514786.tif 000018
【図１７】
2014514786.tif 000019
【図１８】
2014514786.tif 000020
【図１９】
2014514786.tif 000021
【図２０】
2014514786.tif 000022
【図２１】
2014514786.tif 000023
【図２２】
2014514786.tif 000024
【国際調査報告】
2014514786.tif 000025